(57)【要約】  認証対象のセキュリティを簡単な構成で確保できるようにする。  電子ペンと、電子機器とからなる認証システムである。電子ペンは、位置指示入力するための先端部側とは軸心方向において反対側の後端部に、任意の部位に当該後端部が押し当てられたときに、当該部位の色又は画像をピックアップするピックアップ部と、ピックアップした色の情報又は画像の情報を電子機器に送信する送信部とを備える。電子機器は、電子ペンから送信されてくる色の情報又は画像の情報を受信する受信部と、色の認証参照用情報又は画像の認証参照用情報を記憶する認証参照用情報記憶部と、受信部で受信した色の情報又は画像の情報を、色の認証参照用情報又は画像の認証参照用情報と照合して認証の可否を判断する認証可否判断部とを備える。制御部は、認証ができたと判断されたときに、認証対象のセキュリティ保護を解除する。
2019130709.tif 000002
【特許請求の範囲】
【請求項１】
電子ペンと、前記電子ペンからの信号を受けて認証を行う電子機器とからなる認証システムであって、
前記電子ペンは、
筒状の筐体の、位置検出センサとインタラクションして位置指示入力するための先端部側とは軸心方向において反対側の後端側に、任意の部位に前記電子ペンの後端部が押し当てられたときに、前記押し当てられた部位の色又は画像をピックアップするピックアップ部と、
前記ピックアップ部でピックアップした前記色の情報又は前記画像の情報を、前記電子機器に送信する送信部と、
を備え、
前記電子機器は、
前記電子ペンから送信されてくる前記色の情報又は前記画像の情報を受信する受信部と、
色の認証参照用情報又は画像の認証参照用情報を記憶する認証参照用情報記憶部と、
前記受信部で受信した前記色の情報又は前記画像の情報を、前記認証参照用情報記憶部に記憶されている前記色の認証参照用情報又は前記画像の認証参照用情報と照合して認証の可否を判断する認証可否判断部と、
前記認証可否判断部で、前記認証ができたと判断されたときに、前記色の認証参照用情報又は前記画像の認証参照用情報と対応付けられている認証対象のセキュリティ保護を解除する制御部と、
を備えることを特徴とする認証システム。
【請求項２】
前記電子ペンは、固有の識別情報を記憶する識別情報記憶部を備えると共に、前記送信部は、前記識別情報記憶部の前記識別情報を、前記ピックアップ部でピックアップした前記色の情報又は前記画像の情報と共に前記電子機器に送信し、
前記電子機器の受信部は、前記電子ペンから送信されてくる前記色の情報又は前記画像の情報と共に前記識別情報を受信すると共に、前記認証参照用情報記憶部には、前記色の認証参照用情報又は前記画像の認証参照用情報に加えて前記識別情報の認証参照用情報が記憶され、前記認証可否判断部は、前記電子ペンから送信されてくる前記色の情報又は前記画像の情報に加えて、前記識別情報をも、前記認証参照用情報記憶部に記憶されている前記色の認証参照用情報又は画像の認証参照用情報と前記識別情報の認証参照用情報と照合することで認証の可否を判断する
ことを特徴とする請求項１に記載の認証システム。
【請求項３】
前記電子ペンは、固有の識別情報を記憶する識別情報記憶部を備えると共に、前記識別情報記憶部の前記識別情報を前記電子機器に送信する識別情報送信部を備え、
前記電子機器は、前記電子ペンから送信されてくる前記識別情報を受信する識別情報受信部を備えると共に、前記認証参照用情報記憶部には、前記色の認証参照用情報又は前記画像の認証参照用情報に加えて前記識別情報の認証参照用情報が記憶され、前記認証可否判断部は、前記電子ペンから送信されてくる前記色の情報又は前記画像の情報に加えて、前記識別情報をも、前記認証参照用情報記憶部に記憶されている前記色の認証参照用情報又は前記画像の認証参照用情報と前記識別情報の認証参照用情報と照合することで認証の可否を判断する
ことを特徴とする請求項１に記載の認証システム。
【請求項４】
前記電子機器は、前記位置検出センサを備えていると共に、前記電子ペンによる前記位置指示入力に応じた軌跡情報を、前記位置検出センサを通じて検出する検出回路を備え、
前記認証参照用情報記憶部には、前記軌跡情報の認証参照用情報が記憶されており、
前記認証可否判断部は、前記電子ペンから送信されてくる前記色の情報又は前記画像の情報と、前記認証参照用情報記憶部に記憶されている前記色の認証参照用情報又は前記画像の認証参照用情報とを照合すると共に、前記検出回路で検出された前記軌跡情報と、前記認証参照用情報記憶部に記憶されている前記軌跡情報の認証参照用情報とを照合して認証の可否を判断する
ことを特徴とする請求項１〜請求項３のいずれかに記載の認証システム。
【請求項５】
前記電子機器の前記認証参照用情報記憶部には、前記認証参照用情報は、認証対象と対応付けられて記憶されている
ことを特徴とする請求項１に記載の認証システム。
【請求項６】
前記送信部と前記受信部とは、所定の通信規格の無線通信を行う
ことを特徴とする請求項１に記載の認証システム。
【請求項７】
前記電子機器は、前記位置検出センサを備えていると共に、前記識別情報送信部及び前記識別情報受信部は、前記電子ペンと前記位置検出センサとのインタラクションにより前記識別情報の送受を行う
ことを特徴とする請求項３に記載の認証システム。
【請求項８】
前記ピックアップ部は、前記電子ペンの本体部に対して取り外し可能な別体の構成とされている
ことを特徴とする請求項１に記載の認証システム。
【請求項９】
前記ピックアップ部は、前記電子ペンの本体部に設けられる第１のコネクタと接続される第２のコネクタを備えていて、前記ピックアップ部と前記電子ペンの本体部とは電気的に接続されている
ことを特徴とする請求項８に記載の認証システム。
【請求項１０】
前記送信部は、前記ピックアップ部に設けられている
ことを特徴とする請求項８又は請求項９に記載の認証システム。
【請求項１１】
前記ピックアップ部は、前記電子ペンの本体部とは取り外し可能な別体の構成とされていると共に、
前記ピックアップ部は、前記電子ペンの本体部に設けられる第１のコネクタと接続される第２のコネクタを備えていて、前記ピックアップ部と前記電子ペンの本体部とは電気的に接続されており、
前記送信部は、前記電子ペンの本体部の、前記位置検出センサとのインタラクションにより情報の送受を行う機能で構成される
ことを特徴とする請求項１に記載の認証システム。
【請求項１２】
前記ピックアップ部は、前記後端部に開口部を備えると共に、前記開口部の内部には、発光素子と受光素子とが配置されており、
前記開口部側が、平面部に押し当てられて、外光の前記開口部内への進入が遮断される状態となったときには、前記発光素子が発光を開始して、前記押し当てられた前記平面部に対して前記発光素子からの光が照射され、前記平面部からの反射光を前記受光素子が受光し、前記受光素子の出力信号から、前記色の情報又は前記画像の情報を取得する
ことを特徴とする請求項１に記載の認証システム。
【請求項１３】
前記開口部には、レンズが配設されている
ことを特徴とする請求項１２に記載の認証システム。
【請求項１４】
前記レンズは、前記開口部から外方に突出すると共に、外方から押下されたときに、前記電子ペンの軸心方向に前記開口部の内部側に変位可能に配設されており、
前記レンズの前記開口部の内部側への変位に応じてスイッチ状態を変化するスイッチが設けられており、
前記スイッチの前記スイッチ状態の変化に応じて、前記発光素子の点灯制御がなされる
ことを特徴とする請求項１３に記載の認証システム。
【請求項１５】
前記開口部が前記平面部に押し当てられて、前記開口部への外光の進入の遮断を検知する検知手段を備え、
前記検知手段の検知出力に基づいて、前記発光素子の点灯制御がなされる
ことを特徴とする請求項１２に記載の認証システム。
【請求項１６】
筒状の筐体の、位置検出センサとインタラクションして位置指示入力するための先端部側とは軸心方向において反対側の後端部に、任意の部位に前記後端部が押し当てられたときに、前記押し当てられた部位の色又は画像をピックアップするピックアップ部と、
前記ピックアップ部でピックアップした前記色の情報又は前記画像の情報を、外部に送信する送信部と、
を備え、
前記ピックアップ部は、前記後端部に開口部を備えると共に、前記開口部の内部には、発光素子と受光素子とが配置されており、
前記開口部側が、任意の部位に前記後端部が押し当てられて、外光の前記開口部内への進入が遮断される状態となったときに、前記発光素子を点灯させて発光させることで前記押し当てられた前記部位に対して前記発光素子からの光を照射させ、前記部位からの反射光を前記受光素子で受光し、前記受光素子の出力信号から、前記色の情報又は前記画像の情報を取得する
ことを特徴とする電子ペン。
【請求項１７】
前記開口部には、レンズが配設されている
ことを特徴とする請求項１６に記載の電子ペン。
【請求項１８】
前記レンズは、前記開口部から外方に突出すると共に、任意の部位に前記後端部が押し当てられて、外方から押下されたときに、前記電子ペンの軸心方向に前記開口部の内部側に変位可能に配設されており、
前記レンズの前記開口部の内部側への変位に応じてスイッチ状態が変化するスイッチが設けられており、
前記スイッチの前記スイッチ状態の変化に応じて、前記発光素子の点灯制御がなされる
ことを特徴とする請求項１７に記載の電子ペン。
【請求項１９】
前記開口部が任意の部位に押し当てられたときに、前記開口部への外光の進入が遮断される状態を検知する検知手段を備え、
前記検知手段の検知出力に基づいて、前記発光素子の点灯制御がなされる
ことを特徴とする請求項１６に記載の電子ペン。
【請求項２０】
固有の識別情報を記憶する識別情報記憶部を備え、
前記送信部は、前記色の情報又は前記画像の情報と共に、前記識別情報を外部に送信する
ことを特徴とする請求項１６に記載の電子ペン。
【請求項２１】
固有の識別情報を記憶する識別情報記憶部を備え、
前記位置検出センサとのインタラクションにより、前記識別情報を外部に送信する
ことを特徴とする請求項１６に記載の電子ペン。
【請求項２２】
前記ピックアップ部は、前記電子ペンの本体部とは取り外し可能な別体の構成とされていると共に、前記送信部を備えている
ことを特徴とする請求項１６に記載の電子ペン。
【請求項２３】
前記ピックアップ部は、前記電子ペンの本体部とは取り外し可能な別体の構成とされていると共に、前記電子ペンの本体部に設けられる第１のコネクタと接続される第２のコネクタを備えていて、前記ピックアップ部と前記電子ペンの本体部とは電気的に接続されており、
前記ピックアップ部は、前記電子ペンの本体部から前記第１のコネクタ及び前記第２のコネクタを通じて電源電圧の供給を受ける
ことを特徴とする請求項１６又は請求項２２に記載の電子ペン。
【請求項２４】
前記ピックアップ部は、前記電子ペンの本体部とは取り外し可能な別ユニットの構成とされていると共に、前記電子ペンの本体部に設けられる第１のコネクタと接続される第２のコネクタを備えていて、前記ピックアップ部と前記電子ペンの本体部とは電気的に接続されており、
前記電子ペンの本体部は、前記ピックアップ部から前記第１のコネクタ及び前記第２のコネクタを通じて前記色の情報又は前記画像の情報を受けて、外部に送信する前記送信部を備える
ことを特徴とする請求項１６に記載の電子ペン。
【請求項２５】
前記ピックアップ部は、前記電子ペンの本体部とは取り外し可能な別ユニットの構成とされていると共に、
前記ピックアップ部は、前記電子ペンの本体部に設けられる第１のコネクタと接続される第２のコネクタを備えていて、前記ピックアップ部と前記電子ペンの本体部とは電気的に接続されており、
前記送信部は、前記電子ペンの本体部と前記位置検出センサとのインタラクションにより前記情報の送受を行う機能で構成される
ことを特徴とする請求項１６に記載の電子ペン。
【請求項２６】
前記ピックアップ部は、前記電子ペンの本体部とは取り外し可能な別ユニットの構成とされていると共に、前記電子ペンの本体部に設けられる第１のコネクタと接続される第２のコネクタを備えていて、前記ピックアップ部と前記電子ペンの本体部とは電気的に接続されており、
前記電子ペンの本体部は、固有の識別情報を記憶する識別情報記憶部を備え、
前記ピックアップ部は、前記第１のコネクタ及び前記第２のコネクタを通じて前記識別情報記憶部からの前記識別情報を取得して、前記送信部により、前記色の情報又は前記画像の情報と共に、前記識別情報を外部に送信する
ことを特徴とする請求項２２に記載の電子ペン。
【請求項２７】
固有の識別情報を記憶する識別情報記憶部を備え、
前記位置検出センサとのインタラクションにより、前記識別情報を外部に送信する
ことを特徴とする請求項２６に記載の電子ペン。
【発明の詳細な説明】
【技術分野】
【０００１】
この発明は、電子ペンを用いた認証システムに関する。また、この認証システムに使用する電子ペンに関する。
【背景技術】
【０００２】
近年、パーソナルコンピュータ（以下、ＰＣという）やスマートフォンなどの携帯機器の小型化、薄型化が進むと共に、その表示画面にタッチパネル等の位置検出センサが重畳して設けられて、当該表示画面を通じた操作入力が可能となってきている。そして、その表示画面を通じた操作入力の手段として電子ペンが用いられるようになってきている。【０００３】
ところで、ＰＣやスマートフォンには、多種多様なアプリケーションプログラムがインストールされると共に、多種多様なデータファイルやデータフォルダが記憶されることが多い。そして、その多種多様なアプリケーションプログラムや、データファイルやデータフォルダの中には、使用者がセキュリティを確保（保護）して、許可の無い他者のアクセスを排除したいというものもある。【０００４】
そこで、その要求を満足するものとして、従来から、セキュリティを確保したいものを認証対象として、そのセキュリティを確保するための種々の認証方法及び認証システムが提供されている。【０００５】
一般的に良く用いられる認証方法は、数字、アルファベット、記号などを用いた暗証コードを予め設定登録しておき、その設定登録された暗証コードと、認証時に入力された暗証コードとの照合により認証の可否を判断するようにする方法である。【０００６】
しかし、数字やアルファベット、記号の組み合わせによる暗証コードは、桁数が少ないと他者による解読が比較容易であるという問題がある。そこで、桁数が多く、且つ、数字やアルファベット、記号を混在させることで、セキュリティを向上させることが行われる。しかし、暗証コードの桁数が多くなると、その入力作業が厄介であると共に、利用者が暗証コードを忘れてしまう恐れがあるという問題があった。【０００７】
この問題点を解消する方法の一つとして、指紋、虹彩、静脈などの生体情報を認証用情報として用いる認証システムが知られている（特許文献１（特開２００４‐１５６２６５号公報）や特許文献２（特開２０１０‐２５０４７５号公報）等参照）。
【先行技術文献】
【特許文献】
【０００８】
【特許文献１】特開２００４‐１５６２６５号公報
【特許文献２】特開２０１０‐２５０４７５号公報
【発明の概要】
【発明が解決しようとする課題】
【０００９】
しかしながら、指紋、虹彩、静脈などの生体情報を認証用情報として用いる場合には、使用者の操作は簡単になると共に、多桁の暗証コードを記憶しておく必要がないという利点があるが、それらの生体情報を取得するための特殊なデバイスを必要とし、そのために認証システムが大掛かりのものとなったり、情報処理の負荷が重くなってしまったりすると共に、コスト高となってしまうという問題がある。【００１０】
また、認証用情報としての生体情報を設定登録した者以外は、セキュリティを解除できなくなってしまうので、ＰＣや携帯機器が、生体情報の設定登録者以外には利用できず、かえって不便となる場合もある。【００１１】
この発明は、以上の問題点を解決することができるようにした認証システムを提供することを目的とする。
【課題を解決するための手段】
【００１２】
上記の課題を解決するために、
電子ペンと、前記電子ペンからの信号を受けて認証を行う電子機器とからなる認証システムであって、
前記電子ペンは、
筒状の筐体の、位置検出センサとインタラクションして位置指示入力するための先端部側とは軸心方向において反対側の後端側に、任意の部位に前記電子ペンの後端部が押し当てられたときに、前記押し当てられた部位の色又は画像をピックアップするピックアップ部と、
前記ピックアップ部でピックアップした前記色の情報又は前記画像の情報を、前記電子機器に送信する送信部と、
を備え、
前記電子機器は、
前記電子ペンから送信されてくる前記色の情報又は前記画像の情報を受信する受信部と、
色の認証参照用情報又は画像の認証参照用情報を記憶する認証参照用情報記憶部と、
前記受信部で受信した前記色の情報又は前記画像の情報を、前記認証参照用情報記憶部に記憶されている前記色の認証参照用情報又は前記画像の認証参照用情報と照合して認証の可否を判断する認証可否判断部と、
前記認証可否判断部で、前記認証ができたと判断されたときに、前記色の認証参照用情報又は前記画像の認証参照用情報と対応付けられている認証対象のセキュリティ保護を解除する制御部と、
を備えることを特徴とする認証システムを提供する。【００１３】
上述の構成の認証システムにおいては、電子ペンの後端部を、任意の部位に押し当てると、ピックアップ部が、その押し当てられた部位の色又は画像をピックアップする。そして、電子ペンの送信部は、ピックアップ部でピックアップされた色の情報又は画像の情報を、電子機器に送信する。【００１４】
電子機器では、受信部で電子ペンから送信されてくる色の情報又は画像の情報を受信して、認証可否判断部で、認証参照用情報記憶部に記憶されている色の認証参照用情報又は画像の認証参照用情報と照合して認証の可否を判断する。そして、電子機器の制御部は、認証可否判断部で、認証ができたと判断されたときに、色の認証参照用情報又は画像の認証参照用情報と対応付けられている認証対象のセキュリティ保護を解除する。【００１５】
以上のように、上述の構成の認証システムによれば、電子ペンの後端部にピックアップを設け、このピックアップ部を任意の部位に押し当てることでピックアップした当該部位の色の情報又は画像の情報を用いて、電子機器で認証処理がなされる。したがって、簡単なシステム構成で、セキュリティの確保ができる。また、認証用情報は、任意の部位の色又は画像の情報とすることができ、非常に便利である。
【図面の簡単な説明】
【００１６】
【図１】この発明による認証システムの実施形態の構成例の概要を説明するための図である。
【図２】この発明による認証システムの第１の実施形態を構成する電子ペンの電子ペン本体部の構成例を示すブロック図である。
【図３】この発明による認証システムの第１の実施形態を構成するピックアップ部の構成例を示す図である。
【図４】図３の例のピックアップ部の一部を説明するための図である。
【図５】この発明による認証システムの第１の実施形態を構成する電子機器の構成例を示す図である。
【図６】この発明による認証システムの第１の実施形態における電子ペンのピックアップ部の動作例を説明するためのフローチャートを示す図である。
【図７】この発明による認証システムの第１の実施形態における認証参照用情報記憶部の記憶内容を説明するための図である。
【図８】この発明による認証システムの第１の実施形態における電子機器の動作例を説明するためのフローチャートの一部を示す図である。
【図９】この発明による認証システムの第１の実施形態における電子機器の動作例を説明するためのフローチャートの一部を示す図である。
【図１０】この発明による認証システムの第１の実施形態における電子機器の動作例を説明するためのフローチャートの一部を示す図である。
【図１１】この発明による認証システムの第２の実施形態を構成する電子ペンの電子ペン本体部の構成例を示すブロック図である。
【図１２】この発明による認証システムの第２の実施形態における電子ペンのピックアップ部の動作例を説明するためのフローチャートを示す図である。
【図１３】この発明による認証システムの第２の実施形態における認証参照用情報記憶部の記憶内容を説明するための図である。
【図１４】この発明による認証システムの第２の実施形態における電子機器の動作例を説明するためのフローチャートの一部を示す図である。
【図１５】この発明による認証システムの第２の実施形態における電子機器の動作例を説明するためのフローチャートの一部を示す図である。
【図１６】この発明による認証システムの第２の実施形態における電子機器の動作例を説明するためのフローチャートの一部を示す図である。
【図１７】この発明による認証システムの第２の実施形態における電子機器の動作例を説明するためのフローチャートの一部を示す図である。
【図１８】この発明による認証システムの第２の実施形態を構成する電子ペンの電子ペン本体部の構成例を示すブロック図である。
【図１９】この発明による認証システムの第３の実施形態における電子ペンのピックアップ部の動作例を説明するためのフローチャートを示す図である。
【図２０】この発明による認証システムの第３の実施形態における電子機器の動作例を説明するためのフローチャートを示す図である。
【図２１】この発明による認証システムの第４の実施形態における電子機器の動作例を説明するためのフローチャートの一部を示す図である。
【図２２】この発明による認証システムの第４の実施形態における電子機器の動作例を説明するためのフローチャートの一部を示す図である。
【図２３】この発明による認証システムの第４の実施形態における電子機器の動作例を説明するためのフローチャートの一部を示す図である。
【図２４】この発明による認証システムの第４の実施形態における電子機器の動作例を説明するためのフローチャートの一部を示す図である。
【図２５】この発明による認証システムの第４の実施形態における電子機器の動作例を説明するために用いる図である。
【図２６】この発明による認証システムの第４の実施形態における認証参照用情報記憶部の記憶内容を説明するための図である。
【発明を実施するための形態】
【００１７】
以下、この発明による認証システム及び電子ペンの実施形態を、図を参照しながら説明する。
【００１８】
［第１の実施形態］
図１は、この発明による認証システムの実施形態の概要を示す図である。この実施形態の認証システムは、電子ペン１と、電子機器２とからなる。この実施形態の電子ペン１は、電子ペン本体部１０（以下、電子ペン本体部１０という）とピックアップ部１１とが結合されて構成されている。
【００１９】
電子ペン本体部１０は、この例では、電源電圧発生部を備え、静電結合により位置検出用信号を電子機器２のセンサ部に供給する、いわゆるアクティブ静電方式の構成とされている。電源電圧発生部は、後述するように、この例では、電磁誘導方式などにより充電が可能なバッテリーで構成される。なお、バッテリーは、一次電池であっても勿論よい。また、電子ペン本体部１０は、アクティブ静電方式の構成に限られるものでは無く、パッシブ静電容量方式でもよいし、電磁誘導方式の構成でもよい。
【００２０】
ピックアップ部１１は、電子ペン本体部１０とは別体のユニット（アダプタ）として電子ペン本体部１０に対して取り外し可能に構成されている。ピックアップ部１１は、電子ペン本体部１０のペン先部１０ａ側とは反対側の軸心方向の後端部１０ｂに、この例では、ＵＳＢ（Universal Serial Bus）接続されて結合されるように構成されている。
【００２１】
すなわち、この例では、図１に示すように、電子ペン本体部１０の後端部１０ｂには、ＵＳＢコネクタジャック１０６が設けられ、一方、ピックアップ部１１にはＵＳＢコネクタプラグ１１１が設けられる。そして、ピックアップ部１１のＵＳＢコネクタプラグ１１１が、電子ペン本体部１０のＵＳＢコネクタジャック１０６に差し込まれることで、電子ペン本体部１０とピックアップ部１１とが、物理的に、また、電気的に結合される。
【００２２】
この実施形態では、ピックアップ部１１はバッテリーを備えず、電子ペン本体部１０のバッテリーからの電源電圧の供給をＵＳＢ接続部を通じて受ける。そして、ピックアップ部１１は、認証用情報としてこの例では色の情報をピックアップして、電子機器２に送信する機能を備える。すなわち、電子ペン本体部１０の軸心方向が、所定の平面部に対して垂直となる状態で、ピックアップ部１１の後端部を、前記所定の平面部の任意の色を呈する部位に押し当てたときに、ピックアップ部１１は、後述するように、当該押し当てられている平面部の部位の色をピックアップし、そのピックアップした色の情報を電子機器２に送信するように構成されている。
【００２３】
電子機器２は、この例では、図１に示すように、薄型及び小型のパッド型パーソナルコンピュータからなるもので構成されている。電子機器２は、種々のアプリケーションプログラムを備えており、種々の情報処理を行う機能を有すると共に、この例では、電子ペン１とインタラクションする位置検出センサを備え、当該電子ペン１を操作入力デバイスとして用いることができる構成とされている。さらに、電子機器２は、電子ペン１のピックアップ部１１から送られてくる色の情報を認証用の情報として、アプリケーションプログラムやデータファイルなどの認証対象のセキュリティ保護をする機能を備えている。
【００２４】
＜電子ペン本体部１０の構成例＞
図２は、この実施形態の電子ペン本体部１０の構成例を示す図である。電子ペン本体部１０は、筒状の筐体１０１の中空部内に、電源電圧発生部の例としてのバッテリーＢＴと、信号発生回路１０２と、ＩＣ（Integrated Circuit；集積回路）で構成される制御部１０３と、筆圧検出部１０４とを備える。また、導体からなる芯体１０５が、筐体１０１の軸心方向のペン先部１０ａ側の開口１０１ａからペン先部１０ａの先端が突出するように配設されると共に、芯体１０５の先端側とは反対側が筆圧検出部１０４に結合されて、電子ペン本体部１０の筐体１０１内に配置されている。
【００２５】
更に、筐体１０１のペン先部１０ａとは軸心方向に反対側の後端部１０ｂの開口部１０１ｂには、この例ではＵＳＢコネクタジャック１０６が設けられている。ＵＳＢコネクタジャック１０６は、ＵＳＢインターフェース１０７を通じて制御部１０３と接続されている。また、バッテリーＢＴからの電源電圧は、ＵＳＢインターフェース１０７及びＵＳＢコネクタジャック１０６を通じて、このＵＳＢコネクタジャック１０６に接続されるピックアップ部１１に対して供給される。
【００２６】
この実施形態の電子ペン本体部１０においては、信号発生回路１０２は、制御部１０３の制御に従って、位置検出用信号を芯体１０５に供給する。電子ペン１の電子ペン本体部１０の芯体１０５と電子機器２の位置検出センサとが静電容量結合することで、電子ペン本体部１０の芯体１０５からの信号が電子機器２の位置検出で受信される。
【００２７】
すなわち、電子機器２の位置検出センサ上で、電子ペン１の芯体１０５により位置指示されると、電子ペン本体部１０の芯体１０５と電子機器２の位置検出センサとの静電容量結合によるインタラクションを通じて、芯体１０５から送出される位置検出用信号が、電子機器２の位置検出センサで受信され、後述するようにして、電子機器２で電子ペン本体部１０の芯体１０５による指示位置（位置検出センサ上の位置座標）が検出される。
【００２８】
制御部１０３は、また、この例では、筆圧検出部１０４で検出された筆圧値に応じた筆圧情報を生成し、信号発生回路１０２に供給する。信号発生回路１０２は、筆圧情報を、位置検出用信号と、例えば時分割多重方式、周波数多重方式、あるいは、その他の信号多重方式により、芯体１０５に供給して、電子機器２に供給するように構成されている。なお、信号発生回路１０２は、位置検出用信号をバースト信号として送出すると共に、筆圧情報をデジタル情報として、それをＯＯＫ（On-Off Keying）信号やＡＳＫ（Amplitude Shift Keying）信号に変調して送出するように構成してもよい。
【００２９】
＜ピックアップ部１１の構成例＞
図３は、この実施形態のピックアップ部１１の構成例を示す図である。図３は、ピックアップ部１１の後端部側を下向きに示したもので、図３（Ａ）は、ピックアップ部１１の後端部が閉塞されずにフリーの状態であるときを示しており、図３（Ｂ）は、ピックアップ部１１の後端部が任意の平面部ＦＬに対して押し付けられて、ピックアップ部１１の後端部の開口が閉塞されるた状態であるときを示している。
【００３０】
図３（Ａ）及び（Ｂ）に示すように、ピックアップ部１１は、筒状の筐体１１２の電子ペン本体部１０との結合側の開口部１１２ａ側に、この例ではＵＳＢコネクタプラグ１１１を備える。ピックアップ部１１の筐体１１２の中空部内の、軸心方向において、電子ペン本体部１０との結合側とは反対側の後端部の開口部１１２ｂには、レンズ１１３が配設されている。このレンズ１１３の内側には、このレンズ１１３をも構成要素として含む色検出構成部が配設されている。さらに、ピックアップ部１１の筐体１１２の中空部内には、プリント基板１１４に配設されたＵＳＢインターフェース１１５と、制御部１１６と、電源回路１１７と、無線通信部１１８と、メモリ１１９とが配設されている。
【００３１】
無線通信部１１８は、この例では、近距離無線通信方式、例えばブルートゥース（登録商標）規格の無線通信部により構成されている。無線通信部１１８は、このような電波による無線通信手段に限られるものではなく、例えば、赤外線などを用いた光通信手段を用いることもできる。
【００３２】
ＵＳＢインターフェース１１５は、電子ペン本体部１０とピックアップ部１１とがＵＳＢ接続されているときには、電子ペン本体部１０のバッテリーＢＴからの電源電圧を電源回路１１７に供給する。電源回路１１７は、ピックアップ部１１の各部用の電源電圧を生成し、制御部１１６、無線通信部１１８、メモリ１１９の各部に電源電圧を供給すると共に、色検出構成部を構成する、発光素子１２１、受光部１２２、色検出回路１２３、押圧検出スイッチ１２４に電源電圧を供給する。
【００３３】
制御部１１６は、後述するようにして色検出構成部でピックアップされて生成された色の情報を、メモリ１１９に記憶すると共に、無線通信部１１８を通じて、電子機器２に送信する制御を行う。また、制御部１１６は、色検出構成部により色ピックアップの動作を制御する機能も備える。
【００３４】
色検出構成部は、この例では、レンズ１１３の他、発光素子１２１の例としてのＬＥＤ（Light Emitting Diode）と、受光部１２２と、色検出回路１２３と、押圧検出スイッチ１２４と、ホルダー部１２５とを備えて構成されている。
【００３５】
図３（Ａ）及び（Ｂ）に示すように、受光部１２２と色検出回路１２３とは、ユニット化されてケース１２６内に収納されており、当該ケース１２６がレンズ１１３の後側に、当該レンズ１１３と一緒に移動可能の状態で配設されている。この場合に、ケース１２６は、受光部１２２が、レンズ１１３で集光された光を受光できるような状態で、レンズ１１３の後ろ側に配設されている。
【００３６】
受光部１２２は、この例では、図４に示すように、赤色光、緑色光、青色光のそれぞれのみを透過する光フィルタＦｒ，Ｆｇ，Ｆｂと、当該光フィルタＦｒ，Ｆｇ，Ｆｂのそれぞれを透過した赤色光、緑色光、青色光のそれぞれを受光するフォトトランジスタＰＴｒ，ＰＴｇ，ＰＴｂとからなる。そして、フォトトランジスタＰＴｒ，ＰＴｇ，ＰＴｂの受光出力信号が、色検出回路１２３に供給される。
【００３７】
色検出回路１２３は、受光部１２２のフォトトランジスタＰＴｒ，ＰＴｇ，ＰＴｂそれぞれからの、赤色光、緑色光、青色光のそれぞれの受光レベルに応じた受光出力信号から色の情報を生成する。例えば、色検出回路１２３は、赤色光、緑色光、青色光のそれぞれの受光出力信号を、それぞれの信号レベルに応じた複数ビット、例えばそれぞれ８ビットのデジタル信号Ｄｒ，Ｄｇ，Ｄｂに変換する。また、受光出力信号から明るさを示す明度の情報（輝度情報）も例えば８ビットのデジタル信号Ｙとして生成して、デジタル信号Ｄｒ，Ｄｇ，Ｄｂと共に、色の情報として構成する。この実施形態では、色検出回路１２３は、デジタル信号Ｄｒ，Ｄｇ，Ｄｂ及びＹから数式変換して求められるＬ＊ａ＊ｂ＊表色系の色の情報を生成する。
【００３８】
なお、色検出回路１２３で生成する色の情報としては、Ｌ＊ａ＊ｂ＊表色系の色の情報に限られる訳ではなく、赤色光、緑色光、青色光の３原色を用いたＲＧＢ表色系の色情報としてもよいし、Ｌ＊ｕ＊ｖ＊表色系や、その他の表色系の色情報を用いるようにしてもよい。
【００３９】
ホルダー部１２５は、図３に示すように、ピックアップ部１１の筐体１１２の中空部内の後端部側において、軸心方向に移動不可の状態で配設されている。このホルダー部１２５の中央部には、レンズ１１３側を開口とする凹部１２５ａが設けられており、その凹部１２５ａの底部には、押圧検出スイッチ１２４が配設されている。
【００４０】
この押圧検出スイッチ１２４は押圧子１２４ａを備えており、この押圧子１２４ａが押圧されていないときには、押圧検出スイッチ１２４はオフの状態、押圧子１２４ａが押圧されたときには、オンの状態となるように構成されている。そして、この実施形態では、押圧検出スイッチ１２４は、その押圧子１２４ａがレンズ１１３側に突出する状態で、ホルダー部１２５の凹部１２５ａに配設されている。この押圧検出スイッチ１２４は、制御部１１６に接続されており、制御部１１６は、当該押圧検出スイッチ１２４のスイッチ状態を監視する機能を備えている。
【００４１】
そして、受光部１２２及び色検出回路１２３を収納してレンズ１１３の後側に取り付けられているケース１２６が、この押圧検出スイッチ１２４の押圧子１２４ａに対向する状態で設けられている。この場合に、ケース１２６は、ホルダー部１２５の凹部１２５ａの内径よりも小さいものとされており、このため、ケース１２６は、押圧子１２４ａを押圧する方向に移動可能となる。
【００４２】
ホルダー部１２５の凹部１２５ａのレンズ１１３側の開口の周囲には、この例では複数個の発光素子（ＬＥＤ）１２１が配置されている。この複数個の発光素子１２１は、制御部１１６からの制御信号により、その点灯、消灯が制御されるように構成されている。
【００４３】
この例の場合、複数個の発光素子１２１は、例えばホルダー部１２５の凹部１２５ａのレンズ１１３側の開口の周囲に等間隔で配設されている。発光素子１２１は、色をピックアップするためには１個でもよいが、この例のように構成することで、図３（Ｂ）に示すように、ピックアップ部１１が、平面部ＦＬに押られたときに、その発光光が、レンズ１１３を通して平面部ＦＬに照射されて、その平面部ＦＬから反射される光がレンズ１１３を通じて受光部１２２の受光面に一様に入射することができるようにされる。
【００４４】
そして、この実施形態では、ホルダー部１２５のレンズ１１３側の端面と、レンズ１１３の後側の面との間には、レンズ１１３を、常に、筐体１１２の開口部１１２ｂ側に偏倚させるようにする弾性部材、この例では、コイルバネ１２７が、図３及び図４に示すように配設されている。
【００４５】
したがって、ピックアップ部１１は、レンズ１１３側に押圧力が加わっていない通常の状態では、図３（Ａ）に示すように、コイルバネ１２７の弾性力によりレンズ１１３が筐体１１２の開口部１１２ｂの段部１１２ｃに押し付けられて、筐体１１２の開口部１１２ｂがレンズ１１３で閉塞される状態とされる。
【００４６】
そして、ピックアップ部１１のレンズ１１３側が、図３（Ｂ）に示すように、平面部ＦＬに対して押し当てられたときには、レンズ１１３は、コイルバネ１２７の弾性力に抗して、レンズ１１３がピックアップ部１１の筐体１１２の内部に押し込まれる。すると、このレンズ１１３のピックアップ部１１の筐体１１２の内部への摺動移動に伴い、ケース１２６が軸心方向に移動して、押圧検出スイッチ１２４の押圧子１２４ａを押下する。これにより、押圧検出スイッチ１２４は、オフ状態からオン状態に状態変化する。
【００４７】
ピックアップ部１１の制御部１１６は、押圧検出スイッチ１２４がオン状態に変化したことを検出して、ピックアップ部１１の後端部が平面部ＦＬに押し付けられたことを検知する。そして、制御部１１６は、この押圧検出スイッチ１２４のオン状態の検出に基づいて、複数個の発光素子１２１の全てを、消灯状体から点灯状態に制御する。
【００４８】
この場合に、ピックアップ部１１の軸心方向が平面部ＦＬに対して垂直の状態で、ピックアップ部１１の後端部を平面部ＦＬに押し当てたときには、ピックアップ部１１のレンズ１１３側の開口部１１２ｂの円周状先端部が、平面部ＦＬと密着して、ピックアップ部１１の開口部１１２ｂへの外光の進入が遮断される。したがって、複数個の発光素子１２１の発光光のみが、ピックアップ部１１の後端部の開口部１１２ｂから平面部ＦＬに、レンズ１１３を通じて照射される。つまり、ピックアップ部１１の後端部の開口部１１２ｂに対応する平面部ＦＬの部位に対して複数個の発光素子１２１の発光光が照射される。これにより、当該平面部ＦＬの部位からは、当該部位の色に応じた反射光が、レンズ１１３を通じて受光部１２２に入射される。
【００４９】
なお、ピックアップ部１１の筐体１１２を、弾性変形が可能な樹脂やゴムなどの弾性体で構成しておくことにより、ピックアップ部１１の後端部を平面部ＦＬに押し当てたときには、ピックアップ部１１のレンズ１１３側の開口部１１２ｂの円周状先端部と、平面部ＦＬとの密着度を上げることができる。あるいは、レンズ１１３の外周部に嵌合すると共に、レンズ１１３よりも、筐体１１２の軸心方向に沿う方向に突出する弾性体リングを、開口部１１２ｂに設けておくようにしてもよい。
【００５０】
受光部１２２では、前述したようにして、この例では、その入射光を赤色光成分と、緑色光成分と、青色光成分とに分けて受光し、それぞれの成分の受光レベルに応じた受光出力を色検出回路１２３に出力される。色検出回路１２３は、この受光部１２２からの受光出力から、前述したように、Ｌ＊ａ＊ｂ＊表色系の色の情報を生成する。この色検出回路１２３で生成された色の情報は、制御部１１６の制御により、メモリ１１９に記憶される。そして、制御部１１６は、メモリ１１９に記憶した色の情報を、無線通信部１１８を通じて、電子機器２に送信する。制御部１１６は、電子機器２との無線通信部１１８を通じた通信により、色の情報の送信の完了（電子機器２での受信の完了）を確認したら、送信を停止し、メモリ１１９に記憶されている色の情報を消去する。
【００５１】
なお、ピックアップ部１１の後端部を平面部ＦＬに押し当てて、押し当てた部位の色をピックアップするとき、できるだけ、ピックアップ部１１の開口部１１２ｂへの外光の進入を遮断するようにすることが、正確な色のピックアップをする上で好ましい。しかし、ピックアップ部１１の後端部を平面部ＦＬに押し当てたときに、軸心方向が平面部ＦＬに対して垂直の状態から若干ずれて、外光が若干、ピックアップ部１１の開口部１１２ａから進入したとしても構わない。後述するように、色の情報を用いた認証を行う際に、登録されている色の情報（認証参照用情報）と、ピックアップされた色の情報（被認証用情報）との照合による一致検出により、認証の可否を判断するが、当該一致していると判断する閾値を変更することで、少しくらい異なっていても、両者の色の情報が一致していると判断するようにすることができるからである。
【００５２】
＜電子機器２の構成例＞
電子機器２は、図５に示すように、この例では、電子ペン本体部１０と静電結合によりインタラクションして、電子ペン本体部１０のペン先部１０ａにより指示された位置指示入力を検出するための位置検出センサ２１０を含む位置検出処理部２１と、種々の情報処理を行う情報処理部２０とを備える。
【００５３】
電子機器２の位置検出処理部２１では、位置検出センサ２１０を通じて電子ペン本体部１０からの位置検出用信号を受け、電子ペン本体部１０のペン先部１０ａにより指示された位置検出センサ２１０上の位置を検出する。
【００５４】
位置検出センサ２１０は、第１の導体群と第２の導体群とが絶縁層を介して積層されて形成されたものである。第１の導体群は、横方向（Ｘ軸方向）に延在した複数の第１の導体２１１Ｙ１、２１１Ｙ２、…、２１１Ｙｍ（ｍは１以上の整数）を互いに所定間隔離して並列に、Ｙ軸方向に配置したものである。また、第２の導体群は、第１の導体２１１Ｙ１、２１１Ｙ２、…、２１１Ｙｍの延在方向に対して交差する方向、この例では直交する縦方向（Ｙ軸方向）に延在した複数の第２の導体２１２Ｘ１、２１２Ｘ２、…、２１２Ｘｎ（ｎは１以上の整数）を互いに所定間隔離して並列に、Ｘ軸方向に配置したものである。
【００５５】
位置検出センサ２１０と、位置検出処理部２１の位置検出制御回路２２７との間には、入出力インターフェースとされる選択回路２２１が設けられている。選択回路２２１は、位置検出制御回路２２７からの制御信号に基づいて、第１の導体群および第２の導体群の中から、この例では、それぞれ１本の導体を選択するように制御される。
【００５６】
位置検出制御回路２２７からの制御信号により選択回路２２１で選択された位置検出センサ２１０の導体から、位置検出処理部２１に入力される。位置検出処理部２１においては、電子ペン１からの正弦波信号の変調信号からなる送信信号は、増幅回路２２２により増幅され、バンドパスフィルタ２２３に供給されて、正弦波信号の周波数成分のみが抽出される。
【００５７】
バンドパスフィルタ２２３の出力信号は検波回路２２４によって検波され、その検波出力信号はサンプルホールド回路２２５で、位置検出制御回路２２７からのサンプリング信号により、所定のタイミングでサンプルホールドされた後、ＡＤ変換回路２２６によってデジタル値に変換される。ＡＤ変換回路２２６からのデジタルデータは位置検出制御回路２２７に供給される。位置検出制御回路２２７は、このデジタルデータから、電子ペン１によって指示された位置検出センサ２１０上の位置座標を算出する。
【００５８】
また、電子ペン１からは、位置検出用信号とは時分割の状態で、筆圧検出部１０４で検出された筆圧情報が位置検出センサ２１０に送信される。位置検出処理部２１の位置検出制御回路２２７は、この筆圧情報から筆圧値を検出する。そして、位置検出制御回路２２７は、検出した電子ペン１によって指示された位置検出センサ２１０上の位置座標と、筆圧値の情報を、情報処理部２０の情報処理制御部２００に供給する。
【００５９】
情報処理部２０は、この例では、情報処理制御部２００に対して、１〜複数個のアプリケーションプログラムを記憶するアプリ記憶部２０１と、電子ペン１により位置検出センサ２１０で入力された文字、記号、数字等からなる文書のファイルやフォルダ、電子ペン１により位置検出センサ２１０上で描画された図形や絵画などの描画情報のファイルやフォルダを記憶するデータ記憶部２０２と、表示部２０３と、無線通信部２０４と、認証参照用情報記憶部２０５と、筆記色情報記憶部２０６とが接続されて構成されている。
【００６０】
表示部２０３は、この例では、ＬＣＤ（Liquid Crystal Display；液晶ディスプレイ）で構成されている。無線通信部２０４は、電子ペン１のピックアップ部１１の無線通信部１１８と通信可能なもので構成され、この例では、ブルートゥース（登録商標）規格の無線通信部により構成されている。
【００６１】
認証参照用情報記憶部２０５には、後述するように、予め、色の情報が認証対象と対応付けられた認証参照用情報が記憶されていると共に、認証要求があった時に、電子ペン１から送られてくる色の情報を、認証参照用情報と比較参照するために記憶するバッファエリアが設けられている。ここで、認証参照用情報とは、予め登録されていて、認証処理を行う際に、認証すべき情報と比較して一致するか否かを判別するために参照する情報のことを言う。
【００６２】
筆記色情報記憶部２０６には、電子ペン１により電子機器２の位置検出センサ２１０での筆記入力がなされたときに、その筆記色の情報を記憶する。この実施形態では、後述するように、電子ペン１から送られてくる色の情報を、筆記色の情報として記憶する。
【００６３】
そして、情報処理制御部２００は、この例では、ＩＣ（Integrated Circuit；集積回路）からなるマイクロプロセッサで構成されている。情報処理制御部２００は、この実施形態では、認証参照用情報の登録処理部２００１と、認証可否判断部２００２と、表示制御部２００３との機能部、その他の機能部を備えており、アプリ記憶部２０１に記憶されているアプリケーションプログラムを用いて各機能部を実行するように構成されている。
【００６４】
登録処理部２００１は、アプリ記憶部２０１の内、認証が取れたときにのみ利用可能とする認証処理が必要なアプリケーションプログラムを指定して、その認証処理のための認証参照用情報を登録して、認証参照用情報記憶部２０５に格納する処理を行う。認証参照用情報は、この例では、前述した色の情報を用いる。
【００６５】
認証可否判断部２００２は、登録した認証参照用情報と、電子ペン１から送られてくる色の情報とを比較して、認証の可否を判断する処理を行う。登録した認証参照用情報の色の情報と、電子ペン１から送られてくる被認証用情報の色の情報との一致度が所定の閾値以上であるときには、認証が取れた（認証ＯＫ）と判断し、一致度が所定の閾値に満たないときには、認証ができなかった（認証ＮＧ）と判断する。
【００６６】
この場合に、登録した認証参照用情報の色の情報と、電子ペン１から送られてくる被認証用情報の色の情報との一致度の判定は、２つの色の情報の差分を算出し、その差分が閾値を超えていれば、認証ＯＫとし、差分が閾値以下であるときには、認証ＮＧであるとする。色は検出する時間・場所・気温等の外部環境やピックアップ部１１の使用状況により若干変化する場合があることを考慮して、この閾値の値は定められる。
【００６７】
また、それぞれの色の情報のピックアップに当たって、常に、同じ物から色を採取するとは限らない。例えば、ある場所の、ある物の平面部の白色部分を、“白”として使用者が認識してピックアップ部１１でピックアップして認証参照用情報として登録していた場合に、被認証用情報としての“白”を、他の場所あるいは別の物の平面部の白色部分からピックアップ部１１でピックアップした場合、両者は、全く同じ“白”とは限らない。そのため、閾値は、物理的一致ではなく、所定の類似範囲であれば、一致と判定することができるように定められる。
【００６８】
閾値の値の設定は、セキュリティの強弱にも用いることができる。すなわち、セキュリティを厳格に（強く）するには、閾値は、登録した認証参照用情報の色の情報と被認証用情報の色の情報との差分が０〜微小値の間の値に選定し、セキュリティを比較的弱くする場合には、閾値は、前記差分がある程度大きな値に選定される。すなわち、色の一致度の幅が狭い場合は、完全な一致に近い色しか認められないとして、セキュリティの強い・強固なシステムとすることができる。一方、色の一致度の幅が広い場合は、セキュリティが弱いシステムとすることができる。
【００６９】
情報処理制御部２００は、この認証可否判断部２００２の認証判断結果に基づいて、認証参照用情報に対応付けられている認証対象としての制御動作、すなわち、アプリケーションプログラムを起動するか否かの制御をしたり、ファイルやフォルダの開封してデータの利用を許可するか否かの制御を行ったりするようにする。
【００７０】
表示制御部２００３は、各アプリケーションプログラムの表示機能を実行して、表示部２０３の表示画面２０３Ｄ（図１参照）に、表示画像を表示するように制御する。
【００７１】
そして、この実施形態においては、電子ペン１による電子機器２の位置検出センサ２１０上での筆記入力については、筆記色情報記憶部２０６に記憶されている色の情報を用いて電子ペン１のペン先の筆記跡をカラー表示する。後述するように、この実施形態では、電子機器２に対して、使用者が筆記色の登録の要求をして、電子ペン１のピックアップ部１１を用いて色のピックアップ動作をして、色の情報を電子機器２に送信することができるように構成されている。電子機器２は、筆記色の登録の要求に応じて、電子ペン１のピックアップ部１１から受信した色の情報を筆記色情報記憶部２０６に記憶して、その後の、電子ペン１による位置検出センサ２１０上での筆記入力についての表示色として用いるように構成されている。
【００７２】
［電子ペン１と、電子機器２とによる認証及び筆記色に関する処理動作］
次に、電子ペン１と、電子機器２とによる認証に関する処理動作の流れと、電子ペン１による位置検出センサ２１０上での筆記入力の表示色（筆記色）に関する処理動作の流れの例について説明する。
【００７３】
＜電子ペン１のピックアップ部１１による色の情報のピックアップ動作の説明＞
まず、図６のフローチャートを参照しながら、電子ペン１のピックアップ部１１における色の情報の取得動作の流れの例について説明する。なお、図６の各ステップの動作は、ピックアップ部１１の制御部１１６が実行するものとして説明する。
【００７４】
色の情報のピックアップに当たっては、使用者は、電子ペン１を、図５の中央上部に示したように、ペン先部１０ａ側を上側にした状態で、ピックアップ部１１の後端側を、白色、赤色、緑色、青色など、自分がピックアップしたい色を呈している平面部ＦＬの部分に押し付けるようにする。このとき、使用者は、電子ペン１の筐体１０１の軸心方向が平面部ＦＬにして垂直の状態になるように、ピックアップ部１１の後端側を平面部ＦＬに押し付ける。
【００７５】
すると、電子ペン１のピックアップ部１１では、図３（Ｂ）に示したように、ピックアップ部１１の後端部のレンズ１１３が、コイルバネ１２７の弾性力に抗して内部に押し込まれ、ピックアップ部１１の筐体１１２の後端部の開口部１１２ｂの端面が平面部ＦＬに押し付けられて、開口部１１２ｂ内に、外光が入り込まない状態とされる。そして、レンズ１１３が、コイルバネ１２７の弾性力に抗して内部に押し込まれることに伴い、押圧検出スイッチ１２４がオフ状態からオン状態に変化して、ピックアップ部１１による色の情報のピックアップ動作が起動される。
【００７６】
すなわち、図６に示すように、電子ペン１のピックアップ部１１の制御部１１６は、押圧検出スイッチ１２４がオン状態に変化したか否か監視する（ステップＳ１）。そして、このステップＳ１で、押圧検出スイッチ１２４がオン状態に変化したと判別したときには、制御部１１６は、電源回路１１７からピックアップ部１１内の全ての回路部へ電源電圧を供給するように制御し（ステップＳ２）、複数個のＬＥＤ１２１を全て点灯させると共に、受光部１２２及び色検出回路１２３を動作可能の状態にする（ステップＳ３）。
【００７７】
すると、前述したように、ピックアップ部１１の後端部の開口部１１２ｂに対応する平面部ＦＬに対して複数個のＬＥＤ１２１からの発光光が照射され、その反射光が、レンズ１１３を通じて受光部１２２で受光される。前述したように、この実施形態では、受光部１２２では、反射光を、赤色光成分と、緑色光成分と、青色光成分とに分けて受光し、それぞれの成分の受光レベルに応じた受光出力を色検出回路１２３に出力する。色検出回路１２３では、受光部１２２からの受光出力から、この実施形態では、Ｌ＊ａ＊ｂ＊表色系の色の情報を生成する。
【００７８】
そこで、ステップＳ３の次には、制御部１１６は、色検出回路１２３で生成された色の情報を取り込んで（ステップＳ４）、一時、メモリ１１９に保持する（ステップＳ５）。そして、制御部１１６は、メモリ１１９に一時保持した色の情報を、無線通信部１１８を通じて電子機器２に送信する（ステップＳ６）。
【００７９】
使用者は、所定時間、例えば数秒〜数十秒の間、ピックアップ部１１を平面部ＦＬに押し当てる動作をしたら、当該ピックアップ部１１を平面部ＦＬに押し当てる動作を解除する。このときの所定時間は、ピックアップ部１１で平面部ＦＬから色の情報をピックアップして、電子機器２に送信することができる程度の時間であり、例えば数秒以上とされる。なお、ピックアップ部１１の筐体１１２に、使用者が発光素子１２１の点灯、非点灯を確認することができるように、状態報知用表示素子例えばＬＥＤ（Light Emitting Diode）を設けておき、無線通信部１１８からの色の情報の送信を完了したら、その状態報知用発光素子を点灯させるようにしてもよい。
【００８０】
使用者が、電子ペン１のピックアップ部１１を平面部ＦＬに押し当てる動作を解除すると、押圧検出スイッチ１２４はオン状態からオフ状態に変化する。
【００８１】
電子ペン１のピックアップ部１１の制御部１１６は、この押圧検出スイッチ１２４がオン状態からオフ状態に変化するのを監視し（ステップＳ７）、押圧検出スイッチ１２４がオン状態からオフ状態に変化したことを判別したときには、メモリ１１９に記憶していた色の情報は消去し（ステップＳ８）、電源回路１１７から各回路への電源電圧の供給状態をスタンバイ状態に戻す（ステップＳ９）。そして、制御部１１６は、このステップＳ９の次には、処理をステップＳ１に戻し、このステップＳ１以降の処理を繰り返す。
【００８２】
なお、ステップＳ８におけるメモリ１１９に記憶されている色の情報の消去は、メモリ１１９を揮発性メモリで構成すると共に、当該メモリに供給されている電源回路１１７からの電源電圧の供給を停止するようにすればよい。メモリ１１９を不揮発性メモリで構成する場合には、制御部１１６が、色の情報の消去を行うことは言うまでもない。
【００８３】
＜電子機器２における動作の例＞
次に、上述のようにして、電子ペン１のピックアップ部１１でピックアップした色の情報を、電子機器２において認証用情報として用いて認証対象について認証を行う動作の例と、筆記色として用いて表示画面に表示する動作について説明する。
【００８４】
この実施形態の電子機器２においては、使用者は、予め色の情報を用いて認証したい対象毎に、認証用として用いる色の情報を予め登録する。登録した色の情報は、認証対象についての認証の可否を判断する場合の認証参照用情報となる。
【００８５】
例えば、図７に示すように、アプリケーションプログラムＡ，Ｂ，Ｃのそれぞれの起動を認証対象として登録すると共に、それぞれの認証対象について別々の色の情報Ｃａ，Ｃｂ，Ｃｃを登録し、また、ファイルＤ，ＥやフォルダＦのそれぞれの開封を認証対象として登録すると共に、それぞれの認証対象について、それぞれ別々の色の情報Ｃｄ，Ｃｅ，Ｃｆを登録するようにする。図７の例の認証対象と認証参照用情報との対応情報（対応テーブル情報）は、図５に示した認証参照用情報記憶部２０５に格納されて保持される。
【００８６】
認証対象は、図７に示した例に限られるものではないことは言うまでもない。例えば、電子機器２の電源立ち上げ時の動作起動を認証対象として、色の情報による認証がＯＫになったときに、当該電子機器２の動作を起動させることができるようにしてもよい。
【００８７】
なお、図７の例では、認証参照用情報として登録される色の情報は、認証対象毎に異なるものとして示したが、認証対象が異なっても同じ色をピックアップして得た色の情報を用いても良いことは言うまでもない。
【００８８】
こうして認証対象についての認証参照用情報の登録が終了すると、電子機器２においては、認証対象についてのセキュリティ機能の実行が開始可能となる。このセキュリティ機能の認証においては、電子機器２は、認証対象を特定し、その特定した認証対象と対応付けられて認証参照用情報記憶部２０５に記憶されている認証参照用情報である色の情報と、当該認証時（セキュリティ機能の実行時）に電子ペン１のピックアップ部１１から送られてくる被認証用情報としての色の情報とを比較照合し、その比較照合結果に基づいて認証の可否を判断する。そして、認証がＯＫとなった時にのみ、認証対象がアプリケーションプログラムの場合には、その起動が可能となり、認証対象がファイルやフォルダの場合には、それを開いてデータの利用をすることが可能となる。また、認証対象が、例えば電子機器２の電源立ち上げ時の動作起動である場合には、色の情報による認証がＯＫになったときに、当該電子機器２が動作開始可能となる。
【００８９】
セキュリティ機能（認証）の実行の際には、使用者は、電子ペン１のピックアップ部１１で、認証参照用情報と比較して認証の可否を判断させるための被認証用情報としての色の情報をピックアップする操作をする。電子ペン１のピックアップ部１１は、使用者によるこの操作を受けて、色の情報をピックアップし、電子機器２に送信する。すると、電子機器２では、セキュリティのための認証処理を実行して、認証の可否を判断し、その判断結果に応じて、認証対象の利用の可否を決定する。
【００９０】
また、この実施形態の電子機器２は、筆記色の登録ができる機能を有するように構成されている。すなわち、筆記色の登録時には、電子ペン１のピックアップ部１１でピックアップされて無線送信されてくる色の情報を取得して筆記色情報記憶部２０６に保持する。そして、電子ペン１による位置検出センサ２１０上での筆記入力による筆記跡を、筆記色情報記憶部２０６に記憶されている色の情報を用いて表示部２０３の表示画面にカラー表示するようにする。なお、この場合の筆記入力による筆記跡としては、文字や図形のような線画のみではなく、電子ペン１のペン先の種別を電子機器２で指定できるようにしてある場合において、絵画用の絵筆やブラシのようなものによる描画跡をも含むものである。
【００９１】
以上説明した電子機器２における動作の流れの例を、図８〜図１０のフローチャートを参照して説明する。なお、図８〜図１０の各ステップの処理は、電子機器２の情報処理制御部２００が実行するものとして説明する。
【００９２】
情報処理制御部２００は、先ず、使用者の入力操作に基づく何らかの処理イベントが発生したか否か判別する（ステップＳ１１）。このステップＳ１１で、何らかの処理イベントが発生したと判別したときには、情報処理制御部２００は、まず、その処理イベントは、「認証用登録」であるか否か判別する（ステップＳ１２）。
【００９３】
このステップＳ１２で、「認証用登録」であると判別したときには、情報処理制御部２００は、ステップＳ１１での処理イベントの発生状況に基づいて認証対象を特定する（ステップＳ１３）。このステップＳ１３では、ステップＳ１１で判別された処理イベントが、例えば、当該処理イベントで指定された、あるいは、その時に実行中のアプリケーションプログラムの起動のための認証参照用情報の登録を意味する指示を含む場合には、認証対象はアプリケーションプログラムの起動とされる。また、処理イベントが、ファイルやフォルダの開封のための認証参照用情報の登録を意味する指示を含む場合には、認証対象はファイルやフォルダの開封となる。
【００９４】
次に、情報処理制御部２００は、ステップＳ１３で特定した認証対象の情報を保持すると共に、使用者に対して、認証参照用情報としての色の情報のピックアップを促す（ステップＳ１４）。
【００９５】
このステップＳ１４での促しに応じた使用者は、図６を用いて説明したように、電子ペン１のピックアップ部１１の後端側を、自分が認証参照用情報として用いたい色を呈している平面部ＦＬに押し当てる動作をする。すると、前述したようにして、電子ペン１のピックアップ部１１からは、色の情報が無線送信されてくるので、電子機器２では、その色の情報を、無線通信部２０４を通じて受信する。
【００９６】
電子機器２の情報処理制御部２００は、ステップＳ１４で色の情報のピックアップを促した後には、この促しに応じた使用者による色の情報の受信を待つ（ステップＳ１５）。このステップＳ１５で、色の情報の受信を確認したと判別したときには、情報処理制御部２００は、ステップＳ１３で特定した認証対象の情報と、受信した色の情報とを、図７に示したように対応付けたテーブル情報として、認証参照用情報記憶部２０５に記憶する（ステップＳ１６）。そして、情報処理制御部２００は、処理をステップＳ１１に戻して、このステップＳ１１以降の処理を繰り返す。
【００９７】
ステップＳ１２で、発生した処理イベントは「認証用登録」ではないと判別したときには、情報処理制御部２００は、発生した処理イベントは、「認証」を要求しているか否か判別する（ステップＳ１７）。このステップＳ１７では、ステップＳ１１で判別された処理イベントが、認証参照用情報記憶部２０５に記憶されている認証対象に関するものであって認証を必要とするものであるか否かを判別する。
【００９８】
このステップＳ１７で、「認証」が要求されていると判別したときには、情報処理制御部２００は、ステップＳ１１で発生した処理イベントと、認証参照用情報記憶部２０５の記憶情報に基づいて、認証対象の対象を特定する（図９のステップＳ２１）。
【００９９】
そして、情報処理制御部２００は、特定した認証対象の情報を保持すると共に、使用者に対して、認証を実行するための被認証用情報としての色の情報のピックアップを促す（ステップＳ２２）。
【０１００】
このステップＳ２２での促しに応じた使用者は、図６を用いて説明したように、電子ペン１のピックアップ部１１の後端側を、自分が指定した認証対象に対して登録した色の情報と同一色の情報を取得すべく、当該登録した色と同一色を呈している平面部ＦＬに押し当てる動作をする。すると、前述したようにして、電子ペン１のピックアップ部１１からは、色の情報が無線送信してくるので、電子機器２では、その色の情報を被認証用情報として、無線通信部２０４を通じて受信する。
【０１０１】
すなわち、電子機器２の情報処理制御部２００は、ステップＳ２２で色の情報のピックアップを促した後には、この促しに応じた使用者による色の情報の受信を待つ（ステップＳ２３）。このステップＳ２３で、色の情報の受信を確認したと判別したときには、情報処理制御部２００は、ステップＳ２３で受信した被認証用情報としての色の情報と、認証参照用情報記憶部２０５に記憶されている、ステップＳ２２で特定した認証対象と対応付けられて記憶されている認証参照用情報の色の情報とを照合して（ステップＳ２４）、認証がＯＫであるか否かを判別する（ステップＳ２５）。
【０１０２】
ステップＳ２４及びステップＳ２５では、認証参照用情報記憶部２０５に記憶されている色の情報と、ステップＳ２３で受信した色の情報とが一致しているかどうかにより、認証の可否を判断する。すなわち、前述したように、認証参照用情報の色情報と、被認証用情報の色の情報との差分を演算し、その差分が、閾値以下であれば、認証ＯＫと判定し、差分が閾値を超えているときには、認証ＮＧであると判定する。
【０１０３】
このステップＳ２５で、認証ＯＫではなく、認証がＮＧであると判別したときには、情報処理制御部２００は、認証ＮＧを表示部２０３の表示画面に表示すると共にアラーム音を放音するなどして使用者に報知する（ステップＳ２６）。そして、このステップＳ２６の次には、情報処理制御部２００は、認証のやり直しをするか否かの問い合わせをして、使用者からの回答を判別する（ステップＳ２７）。このステップＳ２７で、やり直しをするという回答を得たと判別したときには、情報処理制御部２００は、処理をステップＳ２２に戻し、このステップＳ２２以降の処理を繰り返す。また、ステップＳ２７で、やり直しはしないとの回答を得たと判別したときには、情報処理制御部２００は、処理を、図８のステップＳ１１に戻し、このステップＳ１１以降の処理を繰り返す。
【０１０４】
また、ステップＳ２５で、認証ＯＫであると判別したときには、情報処理制御部２００は、セキュリティの保護を解除して、認証対象を許可する（ステップＳ２８）。ステップＳ２８で許可されるのは、認証対象であるアプリケーションプログラムの起動や、認証対象であるファイルやフォルダの開封である。そして、情報処理制御部２００は、処理を、図８のステップＳ１１に戻し、このステップＳ１１以降の処理を繰り返す。
【０１０５】
次に、図８のステップＳ１７で、処理イベントは、「認証」を要求してはいないと判別したときには、情報処理制御部２００は、処理イベントは、「筆記色の登録」であるか否か判別する（図１０のステップＳ３１）。このステップＳ３１での判別は、ステップＳ１１で発生した処理イベントが、例えば、使用者が、例えば電子ペン１を用いて電子機器２の位置検出センサ２１０上での筆記入力をしている際に、電子機器２の表示画面に表示されている「筆記色の登録」のアイコンをクリックしたことに基づく処理イベントか否かによりなされる。
【０１０６】
このステップＳ３１で、「筆記色の登録」ではないと判別したときには、情報処理制御部２００は、処理イベントについてのその他の処理を実行し（ステップＳ３２）、その後、処理を図８のステップＳ１１に戻し、このステップＳ１１以降の処理を繰り返す。
【０１０７】
ステップＳ３１で、処理イベントが「筆記色の登録」であると判別したときには、情報処理制御部２００は、使用者に対して、筆記色情報としての色の情報のピックアップを促す（ステップＳ３３）。
【０１０８】
このステップＳ３３での促しに応じた使用者は、図６を用いて説明したように、電子ペン１のピックアップ部１１の後端側を、自分が認証参照用情報として用いたい色を呈している平面部ＦＬに押し当てる動作をする。すると、前述したようにして、電子ペン１のピックアップ部１１からは、色の情報が無線送信されてくるので、電子機器２では、その色の情報を、無線通信部２０４を通じて受信する。
【０１０９】
電子機器２の情報処理制御部２００は、ステップＳ３３で色の情報のピックアップを促した後には、この促しに応じた使用者による色の情報の受信を監視し（ステップＳ３４）、色の情報を受信したと判別したときには、受信した色の情報を、筆記色情報として、筆記色情報記憶部２０６に記憶する（ステップＳ３５）。
【０１１０】
この実施形態では、このステップＳ３５で、筆記色情報を筆記色情報記憶部２０６に記憶した後には、電子機器２においては、電子ペン１からの筆記入力を位置検出センサ２１０を通じて受け付けることが可能に構成されている。そこで、使用者は、電子ペン１を、図５の中央に示した、ピックアップ部１１の後端部を平面部ＦＬに押し当てた状態から、その左側に示すように、ペン先を、電子機器２の位置検出センサ２１０の入力領域上に近接あるいは接触させて、筆記入力を行うような状態に変化させる。
【０１１１】
情報処理制御部２００は、ステップＳ３５の次には、位置検出センサ２１０を通じて電子ペン１から、所定レベル以上の信号を受信したか否かにより、電子ペン１による筆記入力を検出したか否か判別して（ステップＳ３６）、筆記入力を監視する。そして、ステップＳ３６で筆記入力を検出したと判別したときには、情報処理制御部２００は、検出した筆記入力の軌跡の座標情報を記憶し（ステップＳ３７）、筆記色情報記憶部２０６に記憶されている色の情報（筆記色情報）を用いて、筆記入力の軌跡を、表示部２０３の表示画面にカラー表示する（ステップＳ３８）。
【０１１２】
次に、情報処理制御部２００は、使用者により筆記色の変更要求がなされたか否か判別し（ステップＳ３９）、筆記色の変更要求がなされたと判別したときには、処理をステップＳ３３に戻し、このステップＳ３３以降の処理を繰り返す。また、ステップＳ３９で、使用者により筆記色の変更要求はなされていないと判別したときには、情報処理制御部２００は、筆記入力が終了したか否か判別し（ステップＳ４０）、終了していないと判別したときには、処理をステップＳ３６に戻して、このステップＳ３６以降の処理を繰り返す。また、ステップＳ４０で、筆記入力が終了したと判別したときには、情報処理制御部２００は、筆記色情報記憶部２０６に記憶されている筆記色の色の情報を消去し（ステップＳ４１）、その後、処理を図８のステップＳ１１に戻し、このステップＳ１１以降の処理を繰り返す。
【０１１３】
以上のようにして、上述の第１の実施形態の電子ペンによれば、電子ペン本体部１０に結合されたピックアップ部１１でピックアップした色の情報を用いて、認証対象についての認証を行うことができる。この場合に、使用者は、電子ペン本体部１０の後端側に結合されているピックアップ部１１の後端部を、認証に用いたい色を呈している平面部に押し付ける操作をするだけでよいので、使い勝手が良い。
【０１１４】
そして、認証のためにピックアップ部１１でピックアップした色の情報を用いるので、使用者は認証に用いる色を記憶しておけばよい。このため、複数桁の番号や記号等を認証に用いる場合に比べて、認証のための情報を失念してしまう恐れを軽減することができる。また、使用者は、認証のための情報の入力操作としては、認証に用いた色を呈している平面部にピックアップ部１１の後端部を押し当てる動作をするだけで良いため、複数桁の番号や記号等を入力する場合のような入力操作ミスが生じ難く、入力操作が容易であるというメリットもある。
【０１１５】
また、上述の第１の実施形態では、電子ペン１による位置検出センサ２１０における筆記入力の筆記跡の表示色として、ピックアップ部１１でピックアップした色の情報を用いることができる。この場合に、筆記跡の表示色は、ピックアップ部１１でピックアップした色の情報をそのまま用いることができるので、使用者が意図する色で筆記跡を表すことができて、便利である。なお、電子機器２に記憶する筆記入力の座標情報に、筆記色情報記憶部２０６に記憶した色の情報を対応付けて記憶しておくようにしてもよい。
【０１１６】
なお、上述の実施形態の説明では、電子ペン１のピックアップ部１１から送信される色の情報は、記憶部を変えることで、認証参照用情報としての色の情報、被認証用情報としての色の情報、筆記色情報としての色の情報を区別するようにしたが、認証参照用、被認証用、筆記色用のそれぞれを識別するための指標を、付加情報として付加して、それぞれの色の情報を記憶するようにしても勿論よい。
【０１１７】
また、上述の第１の実施形態の説明では、ピックアップ部１１がピックアップした色の情報の電子機器２への送信は、ピックアップ部１１が備える無線通信部１１８から行うようにした。しかし、ピックアップ部１１には無線通信部１１８を設けずに、電子ペン本体部１０に無線通信部を設け、電子ペン本体部１０の制御部１０３が、ＵＳＢインターフェース１０７を通じてピックアップ部１１から色の情報を取得して、電子ペン本体部１０に設けた無線通信部を用いて送信するように構成してもよい。
【０１１８】
また、ピックアップ部１１には無線通信部１１８を設けずに、電子ペン本体部１０の制御部１０３が、ＵＳＢインターフェース１０７を通じてピックアップ部１１から色の情報を取得して、芯体１０５を通じて送出する信号に含めて位置検出センサ２１０に供給するようにして、電子ペン本体部１０と位置検出センサ２１０との間のインタラクションにより電子機器２に送信するようにしてもよい。
【０１１９】
また、上述の第１の実施形態の説明では、ピックアップ部１１は、電子ペン１の電子ペン本体部１０とＵＳＢ接続されて、電源電圧を電子ペン本体部１０から受けるように構成した。しかし、ピックアップ部１１の筐体１１２内にバッテリー（１次電池でも２次電池でもよい）を設けてもよい。その場合に、ピックアップ部１１の無線通信部１８を通じて色の情報を電子機器２に送信するようにする構成では、ピックアップ部１１と電子ペン本体部１０とは、電気的に接続する必要はないので、単に結合することができればよい。そして、ピックアップ部１１による色の情報のピックアップ時には、ピックアップ部１１を電子ペン本体部１０から外して、平面部ＦＬに押し付けてピックアップ動作を行わせるようにすることもできる。
【０１２０】
［上述の実施形態のピックアップ部の変形例］
なお、上述の実施形態のピックアップ部では、ピックアップ部の後端部を平面部に押し当てたときにレンズが押し込まれて移動する構成として、このレンズの移動による押圧を押圧検出スイッチが検出することで、ピックアップ部を起動するようにした。しかし、このような構成に限られるものではない。
【０１２１】
例えば、ピックアップ部の後端部に、レンズの周縁部から、ピックアップ部の軸心方向の外側に突出するように、シリコンゴムなどの弾性体からなるスカート部を設けておき、ピックアップ部の後端部を平面部に押し当てたときにそのスカート部の端部と平面部とが密着することにより、スカート部により囲まれる部分が外光から遮断されるように構成しておくと共に、フォトトランジスタで外光の有無を検出するように構成する。このようにすれば、ピックアップ部の後端部を平面部に押し当てたときに、スカート部により囲まれる部分が外光から遮断されたことがフォトトランジスタで検出することができるので、このフォトトランジスタの検出出力に基づいて、ピックアップ部を起動して、ＬＥＤを点灯させるように構成してもよい。
【０１２２】
また、ピックアップ部の後端部の筐体部分に、平面部との接触を検出する接触センサや、平面部からの押圧力を検知する圧力センサを設けて、それらの接触センサや圧力センサの検知出力に基づいてピックアップ部を起動させて、ＬＥＤを点灯させるように構成してもよい。
【０１２３】
［第２の実施形態］
上述の第１の実施形態では、認証用情報としては、色の情報のみを用いた。第２の実施形態は、認証システムとしての構成は、第１の実施形態において図１を用いて説明した電子ペンと電子機器とからなるものであるが、認証参照用情報を、色の情報のみでなく電子ペンの識別情報（以下ペンＩＤ情報という）を用いることにより、セキュリティをより強くすることができるようにした場合である。
【０１２４】
この第２の実施形態の認証システムは、第１の実施形態の電子ペン１とはペンＩＤ情報の記憶部を備える点が異なる電子ペン１Ａと、第１の実施形態の電子機器２とは、認証処理に関する処理機能の構成が異なる電子機器２Ａとからなる。
【０１２５】
第２の実施形態の電子ペン１Ａは、電子ペン本体部１０Ａ（図１１参照）と、ピックアップ部１１Ａ（図示は省略）とからなる。この第２の実施形態の電子ペン１Ａの電子ペン本体部１０Ａのハードウエア構成は、図１１に示すように、第１の実施形態の電子ペン１とは、制御処理内容が制御部１０３とは異なる制御部１０３Ａを備えると共に、ペンＩＤメモリ１０８が、この制御部１０３Ａに対して接続されている点が異なる。ペンＩＤメモリ１０８には、それぞれの電子ペン１Ａを識別するためのペンＩＤ情報が記憶されている。
【０１２６】
電子ペン本体部１０Ａのその他の構成は、図５に示した第１の実施形態の電子ペン１の電子ペン本体部１０と同様である。なお、図１１において、第１の実施形態の電子ペン１の電子ペン本体部１０と同一の部分については、同一参照符号を付してある。
【０１２７】
そして、この第２の実施形態の電子ペン１Ａのピックアップ部１１Ａは、図示は省略するが、ハードウエア構成としては、制御内容が第１の実施形態の電子ペン１のピックアップ部１１の制御部１１６とは異なる制御部１１６Ａ（図示は省略）を備える点を除くと、図３及び図４を用いて説明した第１の実施形態の電子ペン１のピックアップ部１１と同様の構成を備える。
【０１２８】
また、第２の実施形態の電子機器２Ａのハードウエア構成は、図５に示した第１の実施形態の電子機器２の情報処理制御部２００とは制御処理内容が異なる情報処理制御部２００Ａ（図示は省略）を備えると共に、第１の実施形態の電子機器２の認証参照用情報記憶部２０５とは記憶される認証参照用情報が異なる認証参照用情報記憶部２０５Ａ（図示は省略）を備える。また、筆記色情報記憶部２０６とは記憶される筆記色情報が異なる筆記色情報記憶部２０６Ａ（図示は省略）を備える。第２の実施形態の電子機器２Ａのその他の構成は、第１の実施形態の電子機器２と同様である。
【０１２９】
この第２の実施形態においては、電子ペン１Ａのピックアップ部１１Ａは、ピックアップ部１１Ａの後端部を平面部ＦＬに押し当てて色の情報をピックアップしたときには、第１の実施形態のピックアップ部１１と同様にして、色の情報のピックアップの動作をする。しかし、この第２の実施形態のピックアップ部１１Ａの制御部１１６Ａは、そのピックアップした色の情報は、即座に電子機器２Ａに対して送信することはせずに、一時保持すると共に、ペンＩＤ情報の取得要求を電子ペン本体部１０Ａに対してＵＳＢインターフェース１１５及びＵＳＢコネクタプラグ１１１を介して送信する。
【０１３０】
電子ペン１Ａの電子ペン本体部１０Ａの制御部１０３Ａは、ＵＳＢコネクタジャック１０６及びＵＳＢインターフェース１０７を通じてピックアップ部１１ＡからのペンＩＤ情報の取得要求を受けると、ペンＩＤメモリ１０８から読み出したペンＩＤ情報を、ＵＳＢインターフェース１０７及びＵＳＢコネクタジャック１０６を通じてピックアップ部１１Ａに送信する。
【０１３１】
この第２の実施形態のピックアップ部１１Ａの制御部１１６Ａは、電子ペン本体部１０ＡからペンＩＤ情報を取得したら、保持している色の情報と、取得したペンＩＤ情報とを、無線通信部１１８を通じて電子機器２に送信するようにする。
【０１３２】
この第２の実施形態における電子ペン１Ａの動作の流れと、電子機器２Ａの動作の流れの例について、フローチャートを参照しながら、さらに説明する。
【０１３３】
＜電子ペン１Ａのピックアップ部１１Ａによる色の情報のピックアップ動作の説明＞
まず、図１２のフローチャートを参照しながら、電子ペン１Ａのピックアップ部１１Ａにおける色の情報の取得動作の流れの例について説明する。なお、図６の各ステップの動作は、ピックアップ部１１Ａの制御部１１６Ａ（図示は省略）が実行するものとして説明する。
【０１３４】
この第２の実施形態の電子ペン１Ａにおいても、図１２のステップＳ５１〜ステップＳ５５までの動作は、図６のステップＳ１〜ステップＳ５までの動作と同様である。すなわち、使用者が、電子ペン１Ａを、ペン先部１０ａ側を上側にした状態で、ピックアップ部１１Ａの後端側を、自分がピックアップしたい色を呈している平面部ＦＬの部分に押し付けるようにすると、押圧検出スイッチ１２４がオフ状態からオン状態に変化して（ステップＳ５１）、ピックアップ部１１Ａの各部に電源が供給され（ステップＳ５２）、ＬＥＤ１２１が点灯して（ステップＳ５３）、色の情報の取得動作がなされ（ステップＳ５４）、取得された色の情報はメモリ１１９に一時保持される（ステップＳ５５）。
【０１３５】
この第２の実施形態の電子ペン１Ａのピックアップ部１１Ａにおいては、ステップＳ５５の次には、制御部１１６Ａは、電子ペン本体部１０Ａに対してＵＳＢインターフェース１１５を通じてペンＩＤ情報の取得要求を送り、これに応答して電子ペン本体部１０Ａから送られてくるペンＩＤ情報をＵＳＢインターフェース１１５を通じて取得する（ステップＳ５６）。
【０１３６】
次に、制御部１１６Ａは、メモリ１１９に一時保持した色の情報と、電子ペン本体部１０Ａから取得したペンＩＤ情報とを、無線通信部１１８を通じて電子機器２に送信する（ステップＳ５７）。
【０１３７】
そして、電子ペン１Ａのピックアップ部１１Ａの制御部１１６Ａは、使用者が電子ペン１Ａの後端側を平面部ＦＬに押し付けていた状態を解除することにより押圧検出スイッチ１２４がオン状態からオフ状態に変化するのを監視し（ステップＳ５８）、押圧検出スイッチ１２４がオン状態からオフ状態に変化したことを判別したときには、メモリ１１９に記憶していた色の情報は消去し（ステップＳ５９）、電源回路１１７から各回路への電源電圧の供給状態をスタンバイ状態に戻す（ステップＳ６０）。そして、制御部１１６Ａは、このステップＳ６０の次には、処理をステップＳ５１に戻し、このステップＳ５１以降の処理を繰り返す。
【０１３８】
＜電子機器２Ａにおける動作の例＞
この第２の実施形態の電子機器２Ａにおいては、認証対象及び認証参照用情報の登録時には、登録した認証対象毎に、登録した色の情報とペンＩＤ情報とが、認証対象についての認証の可否を判断するための認証参照用情報となる。
【０１３９】
すなわち、第２の実施形態においては、例えば、図１３に示すように、アプリケーションプログラムＡ，Ｂ，Ｃのそれぞれの起動を認証対象として登録すると共に、それぞれの認証対象について別々の色の情報Ｃａ，Ｃｂ，Ｃｃと、ペンＩＤ情報ＩＤａ，ＩＤｂ，ＩＤｃとをそれぞれ対応付けて登録する。また、ファイルＤ，Ｅのそれぞれ開封を認証対象として登録すると共に、それぞれの認証対象について、それぞれ別々の色の情報Ｃｄ，Ｃｅと、ペンＩＤ情報ＩＤｄ，ＩＤｅとをそれぞれ対応付けて登録する。
【０１４０】
図１３の例の認証対象と認証参照用情報との対応情報（対応テーブル情報）は、認証参照用情報記憶部２０５Ａに格納されて保持されるのは、第１の実施形態と同様である。図１３の例では、色の情報は、認証対象毎に異なるものとして示したが、認証対象が異なっても同じ色をピックアップして得た色の情報を用いてもよいことは言うまでもない。また、ペンＩＤ情報は、認証対象毎に異なるものとして示したが、認証対象が異なっても同じペンＩＤ情報を用いてもよいし、認証対象の全てについて同一のペンＩＤ情報を用いてもよい。
【０１４１】
そして、この第２の実施形態においては、電子ペン１Ａのピックアップ部１１Ａから電子機器２Ａに送信する情報は、ピックアップした色の情報とペンＩＤ情報とのペアとするようにする。電子機器２Ａでは、筆記色情報記憶部２０６に、色の情報とペンＩＤ情報とのペアの情報を筆記色の情報として記憶する。
【０１４２】
また、この第２の実施形態では、電子ペン１Ａの制御部１０３Ａは、電子ペン本体部１０Ａの芯体１０５から送出する信号にはペンＩＤ情報を含むように、信号発生回路１０２を制御する。ペンＩＤ情報は、位置検出用信号や、筆圧情報に対して、時分割多重、周波数多重などの多重方式により、芯体１０５からの信号に含められる。あるいは、上述と同様に、ペンＩＤ情報は、デジタル情報として、ＯＯＫ信号やＡＳＫ信号などの変調信号としてもよい。
【０１４３】
そして、電子機器２Ａにおいては、情報処理制御部２００Ａは、電子ペン１Ａの電子ペン本体部１０Ａの芯体１０５から送信される信号を受信して、当該信号に含まれているペンＩＤ情報と、筆記色情報記憶部２０６に記憶されているペンＩＤ情報とを比較して、両者が一致しているときには、電子ペン１Ａの電子ペン本体部１０Ａの芯体のペン先による筆記入力に基づく筆記跡を、筆記色情報記憶部２０６に記憶されている色の情報を用いてカラー表示する。また、情報処理制御部２００Ａは、電子ペン１の電子ペン本体部１０Ａの芯体１０５からの信号に付加されているペンＩＤ情報と、筆記色情報記憶部２０６に記憶されているペンＩＤ情報とが一致しなかったときには、電子ペン１Ａの電子ペン本体部１０Ａの芯体１０５のペン先による筆記入力に基づく筆記跡は、デフォルトの色、例えば黒色で表示するようにする。これにより、筆記色情報を登録した電子ペン１Ａの筆記入力時のみ、その筆記跡を、登録した色でカラー表示することができる。
【０１４４】
この第２の実施形態の電子機器２Ａにおける動作の流れの例を、図１４〜図１７のフローチャートを参照して説明する。なお、図１４〜図１７の各ステップの処理は、電子機器２Ａの情報処理制御部２００Ａが実行するものとして説明する。
【０１４５】
図１４のステップＳ７１〜ステップＳ７４までの処理は、第１の実施形態における図８のステップＳ１１〜ステップＳ１４までの処理と同様であるので、ここでは、説明は省略する。この第２の実施形態では、ステップＳ７４での色の情報のピックアップを促す処理の後には、電子ペン１Ａのピックアップ部１１Ａから、色の情報とペンＩＤ情報とが送られてくるので、このステップＳ７４以降の処理が、第１の実施形態とは異なる。
【０１４６】
すなわち、第２の実施形態の電子機器２Ａの情報処理制御部２００Ａは、電子ペン１Ａのピックアップ部１１Ａから送られてくる色の情報とペンＩＤ情報との受信を監視し（ステップＳ７５）、色の情報とペンＩＤ情報とを受信したと判別したときには、その受信した色の情報とペンＩＤ情報とを、ステップＳ７３で受け付けた認証対象の情報に対応付けて、図１３に示したように、認証参照用情報記憶部２０５Ａに記憶する（ステップＳ７６）。
【０１４７】
このステップＳ７６の次には、情報処理制御部２００Ａは、処理をステップＳ７１に戻して、このステップＳ７１以降の処理を繰り返す。
【０１４８】
そして、情報処理制御部２００Ａは、ステップＳ７２で、発生した処理イベントは「認証用登録」ではないと判別したときには、発生した処理イベントは、「認証」を要求しているか否か判別する（ステップＳ７７）。このステップＳ７７で、「認証」が要求されていると判別したときには、情報処理制御部２００Ａは、ステップＳ７１で発生した処理イベントと、認証参照用情報記憶部２０５Ａの記憶情報に基づいて、認証対象の対象を特定する（図１５のステップＳ８１）。
【０１４９】
そして、情報処理制御部２００Ａは、特定した認証対象の情報を保持すると共に、使用者に対して、認証を実行するための被認証用情報としての色の情報のピックアップを促す（ステップＳ８２）。
【０１５０】
このステップＳ８２での促しに応じて、この第２の実施形態では、電子ペン１Ａのピックアップ部１１Ａからは、色の情報とペンＩＤ情報が送られてくるので、情報処理制御部２００Ａは、当該色の情報とペンＩＤ情報の受信を監視し（ステップＳ８３）、受信したと判別したときには、受信した色の情報とペンＩＤ情報とのそれぞれについて、認証参照用情報記憶部２０５に記憶されている認証参照用情報としての色の情報及びペンＩＤ情報との照合を行う（ステップＳ８４）。
【０１５１】
そして、この例では、情報処理制御部２００Ａは、先ず、認証参照用情報のペンＩＤ情報と、被認証用情報のペンＩＤ情報とが完全一致したか否かにより、ペンＩＤ情報による認証がＯＫであるか否か判別する（ステップＳ８５）。
【０１５２】
このステップＳ８５で、認証参照用情報のペンＩＤ情報と、被認証用情報のペンＩＤ情報とは完全一致ではなく、認証ＯＫではないと判別したときには、情報処理制御部２００Ａは、認証ＮＧを表示部２０３の表示画面に表示すると共にアラーム音を放音するなどして使用者に報知する（ステップＳ８６）。
【０１５３】
そして、このステップＳ８６の次には、情報処理制御部２００は、認証のやり直しをするか否かの問い合わせをして、使用者からの回答を判別する（ステップＳ８７）。このステップＳ８７で、やり直しをするという回答を得たと判別したときには、情報処理制御部２００Ａは、処理をステップＳ８２に戻し、このステップＳ８２以降の処理を繰り返す。また、ステップＳ８７で、やり直しはしないとの回答を得たと判別したときには、情報処理制御部２００Ａは、処理を、図１４のステップＳ７１に戻し、このステップＳ７１以降の処理を繰り返す。
【０１５４】
そして、ステップＳ８５で、認証参照用情報のペンＩＤ情報と、被認証用情報のペンＩＤ情報とは完全一致しており、認証ＯＫであると判別したときには、情報処理制御部２００Ａは、認証参照用情報記憶部２０５Ａに記憶されている色の情報と、ステップＳ８４で受信した色の情報との差分が、閾値以下であるかどうかにより、認証ＯＫであるか否かを判断する（ステップＳ８８）。このステップＳ８８で、認証参照用情報の色の情報と、被認証用情報の色の情報との差分は閾値を超えており、認証ＯＫではないと判別したときには、情報処理制御部２００Ａは、処理をステップＳ８６に移行して、認証ＮＧを表示部２０３の表示画面に表示すると共にアラーム音を放音するなどして使用者に報知し、さらに、ステップＳ８７以降の処理を実行する。
【０１５５】
また、ステップＳ８８で、認証参照用情報の色の情報と、被認証用情報の色の情報との差分は閾値以下であり、認証ＯＫであると判別したときには、すなわち、ペンＩＤ情報による認証がＯＫであり、且つ、色の情報による認証がＯＫであると判別したときには、情報処理制御部２００Ａは、認証対象を許可する（ステップＳ８９）。そして、情報処理制御部２００Ａは、処理を、図１４のステップＳ７１に戻し、このステップＳ７１以降の処理を繰り返す。
【０１５６】
次に、図１４のステップＳ７７で、処理イベントは、「認証」を要求してはいないと判別したときには、情報処理制御部２００Ａは、処理イベントは、「筆記色の登録」であるか否か判別する（図１６のステップＳ９１）。この図１６のステップＳ９１からステップＳ９３までの処理は、第１の実施形態における図１０のステップＳ３１からステップＳ３３までの処理と同様であるので、ここでは、その説明は省略する。
【０１５７】
この第２の実施形態では、ステップＳ３３での色の情報のピックアップの促しに応じて、使用者が電子ペン１Ａのピックアップ部１１Ａの後端部を平面部ＦＬに押し付けて、色の情報のピックアップ動作をすると、上述したように、ピックアップ部１１Ａからはピックアップされた色の情報とペンＩＤ情報とが無線送信されてくる。
【０１５８】
そこで、第２の実施形態では、電子機器２Ａの情報処理制御部２００Ａは、ステップＳ１０３の後には、電子ペン１Ａのピックアップ部１１Ａからの色の情報とペンＩＤ情報との受信を監視し（ステップＳ９４）、色の情報とペンＩＤ情報とを受信したと判別したときには、受信した色の情報とペンＩＤ情報とを、筆記色情報として、筆記色情報記憶部２０６Ａに記憶する（ステップＳ９５）。
【０１５９】
この第２の実施形態においても、このステップＳ９５で、筆記色情報を筆記色情報記憶部２０６Ａに記憶した後には、電子機器２Ａにおいては、電子ペン１Ａからの筆記入力を位置検出センサ２１０を通じて受け付けることが可能に構成されている。ただし、この第２の実施形態では、上述したように、電子ペン１Ａの電子ペン本体部１０Ａの芯体１０５からの信号には、位置検出用信号と筆圧検出情報に加えて、ペンＩＤ情報が含まれている。
【０１６０】
情報処理制御部２００Ａは、ステップＳ９５の次には、位置検出センサ２１０を通じて電子ペン１Ａから、所定レベル以上の信号を受信したか否かにより、電子ペン１Ａによる筆記入力を検出したか否か判別して（ステップＳ９６）、筆記入力を監視する。そして、ステップＳ９６で筆記入力を検出したと判別したときには、情報処理制御部２００Ａは、検出した筆記入力の軌跡の座標情報を記憶する（ステップＳ９７）。
【０１６１】
次に、情報処理制御部２００Ａは、筆記入力として受信した信号に含まれているペンＩＤ情報と、筆記色情報記憶部２０６Ａに記憶されているペンＩＤ情報とを照合して、両者が完全一致しているか否かを判別する（ステップＳ９８）。
【０１６２】
このステップＳ９８で、筆記入力として受信した信号に含まれているペンＩＤ情報と、筆記色情報記憶部２０６Ａに記憶されているペンＩＤ情報とが完全一致していると判別したときには、情報処理制御部２００Ａは、筆記色情報記憶部２０６Ａに記憶されている色の情報を用いて、筆記入力の軌跡を、表示部２０３の表示画面にカラー表示する（ステップＳ９９）。
【０１６３】
また、ステップＳ９８で、筆記入力として受信した信号に含まれているペンＩＤ情報と、筆記色情報記憶部２０６Ａに記憶されているペンＩＤ情報とが一致してはいないと判別したときには、情報処理制御部２００Ａは、デフォルトの色で、筆記入力の軌跡を、表示部２０３の表示画面に表示する（ステップＳ１００）。
【０１６４】
そして、ステップＳ９９、また、ステップＳ１００の次には、情報処理制御部２００Ａは、使用者により筆記色の変更要求がなされたか否か判別し（図１７のステップＳ１１１）、筆記色の変更要求がなされたと判別したときには、処理をステップＳ９３に戻し、このステップＳ９３以降の処理を繰り返す。
【０１６５】
また、ステップＳ１１１で、使用者により筆記色の変更要求はなされていないと判別したときには、情報処理制御部２００Ａは、筆記入力が終了したか否か判別し（ステップＳ１１２）、終了していないと判別したときには、処理をステップＳ９６に戻して、このステップＳ９６以降の処理を繰り返す。
【０１６６】
また、ステップＳ１１２で、筆記入力が終了したと判別したときには、情報処理制御部２００Ａは、筆記色情報を残すかどうかの問い合わせを表示部２０３の表示画面を通じて、あるいは音声メッセージを通じて行い、使用者からのその問い合わせの回答を判別し（ステップＳ１１３）、筆記色情報を残すとの回答を得たときには、処理をステップＳ７１に戻して、このステップＳ７１以降の処理を繰り返す。
【０１６７】
また、ステップＳ１１３で、筆記色情報を残さないとの回答を得たときには、情報処理制御部２００Ａは、筆記色情報記憶部２０６Ａに記憶されている筆記色情報としての色の情報及びペンＩＤ情報を消去する（ステップＳ１１４）。そして、情報処理制御部２００Ａは、処理をステップＳ７１に戻して、このステップＳ７１以降の処理を繰り返す。
【０１６８】
以上説明したように、第２の実施形態においては、認証用として、色の情報に加えてペンＩＤ情報を用いるので、第１の実施形態の色の情報のみを認証用として使用する場合に比較して、セキュリティの強度を高くすることができる。
【０１６９】
また、第２の実施形態にける筆記色の表示制御においては、電子ペン１Ａのピックアップ部１１Ａでピックアップした色の情報を用いるのは第１の実施形態と同様であるが、ペンＩＤ情報と色の情報とを対応付けて筆記色情報としたので、同じペンＩＤを有する電子ペン１Ａによる筆記入力に対してのみ、登録した色の情報を用いて筆記跡を表示することができて便利である。なお、電子機器２Ａに記憶する筆記入力の座標情報に、筆記色情報記憶部２０６Ａに記憶した色の情報を対応付けて記憶しておくようにしてもよい。
【０１７０】
［第３の実施形態］
第３の実施形態は、第２の実施形態の変形例である。上述の第２の実施形態では、電子機器２Ａへの色の情報及びペンＩＤ情報の送信は、ピックアップ部１１Ａが備える無線通信部１１８から行うようにした。
【０１７１】
これに対して、第３の実施形態の電子ペン１Ｂでは、ピックアップ部１１Ｂ（図示は省略）には無線通信部１１８は設けずに、図１８に示すように、電子ペン本体部１０Ｂに、電子機器２Ａと無線通信を行う無線通信部１０９を設ける。
【０１７２】
そして、電子ペン本体部１０Ｂの制御部１０３Ｂが、ＵＳＢインターフェース１０７を通じてピックアップ部１１から色の情報を取得し、ペンＩＤメモリ１０８に記憶されているペンＩＤ情報と共に、無線通信部１０９を通じて、電子機器２Ａに送信するように構成する。すなわち、第３の実施形態においては、色の情報とペンＩＤ情報との電子機器２Ａへの無線送信が、電子ペン本体部１０Ｂからなされる点のみが第２の実施形態とは異なる。
【０１７３】
図１８に示すように、第３の実施形態における電子ペン１Ｂの電子ペン本体部１０Ｂは、無線通信部１０９を備えると共に、第２の実施形態とは制御機能が若干異なる制御部１０３Ｂを備える。電子ペン本体部１０Ｂのその他の構成は、図１１に示した第２の実施形態における電子ペン本体部１０Ａと同様であり、同一部分には、同一参照符号を付して示している。
【０１７４】
なお、ピックアップ部１１Ｂのハードウエア構成は、図３に示したピックアップ部１１において、無線通信部を除去したものに等しいので、ここでは図示を省略する。
【０１７５】
また、電子機器２Ａにおける処理動作は、第２の実施形態と全く同様にすることができる。すなわち、第３の実施形態においては、第２の実施形態の電子機器２Ａは、そのまま用いることができるので、その動作説明も含めてここでは省略する。
【０１７６】
図１９は、この第３の実施形態における電子ペン１Ｂのピックアップ部１１Ｂにおけるピックアップ動作時の流れの例を示すフローチャートである。また、図２０は、この第３の実施形態における電子ペン１Ｂの電子ペン本体部１０Ｂの色の情報の送信の動作の流れの例を示すフローチャートである。
【０１７７】
図１９において、ステップＳ１２１〜ステップＳ１２５までの処理ステップは、図６のステップＳ１〜ステップＳ５及び図１２のステップＳ５１〜ステップＳ５５までの処理ステップと全く同様である。
【０１７８】
この第３の実施形態では、ステップＳ１２５の次には、ピックアップ部１１Ｂの制御部１１６Ｂ（図示は省略）は、ステップＳ１２５でピックアップして保持した色の情報を、電子ペン本体部１０Ｂに対して、ＵＳＢインターフェース１１５を通じて送信するようにする（ステップＳ１２６）。この場合に、ピックアップ部１１Ｂの制御部１１６Ｂは、色の情報のＵＳＢインターフェース１１５を通じた送信情報には、色の情報を電子機器２Ａへの無線送信する依頼情報を含めるようにしてもよい。
【０１７９】
ステップＳ１２６の次には、ピックアップ部１１Ｂの制御部１１６Ｂは、押圧検出スイッチ１２４がオン状態からオフ状態に変化するのを監視し（ステップＳ１２７）、押圧検出スイッチ１２４がオン状態からオフ状態に変化したことを判別したときには、メモリ１１９に記憶保持していた色の情報は消去し（ステップＳ１２８）、電源回路１１７から各回路への電源電圧の供給状態をスタンバイ状態に戻す（ステップＳ１２９）。そして、制御部１１６Ｂは、このステップＳ１２９の次には、処理をステップＳ１２１に戻し、このステップＳ１２１以降の処理を繰り返す。
【０１８０】
電子ペン本体部１０Ｂの制御部１０３Ｂは、ＵＳＢインターフェース１０７を通じてピックアップ部１１Ｂからの色の情報を受信するのを監視し（図２０のステップＳ１３１）、受信してはいないと判別したときには、その他の処理を行い（ステップＳ１３２）、その後、ステップＳ１３１に処理を戻す。
【０１８１】
ステップＳ１３１で、ピックアップ部１１Ｂからの色の情報を受信したと判別したときには、受信した色の情報を一時保持する（ステップＳ１３３）。そして、ペンＩＤメモリ１０８に記憶しているペンＩＤ情報を読み出して、この読み出したペンＩＤ情報と、ピックアップ部１１Ｂから取得した色の情報とを無線通信部１０９を通じて電子機器２Ａへの無線送信する（ステップＳ１３４）。
【０１８２】
そして、制御部１０３Ｂは、送信が完了したか否か判別し（ステップＳ１３５）、送信が完了してはいないと判別したときには、ステップＳ１３４に戻って送信処理を継続し、送信が完了したと判別したときには、一時保持しているピックアップ部１１Ｂから取得した色の情報を消去して（ステップＳ１３６）、この処理ルーチンを終了する。
【０１８３】
なお、図２０の例では、色の情報と、ペンＩＤ情報との無線送信は、ピックアップ部１１Ｂから色の情報を受信したことをトリガとして実行するように説明したが、前述したように、ピックアップ部１１Ｂからの色の情報に、電子機器２Ａへの無線送信を依頼する情報が付加されている場合には、その付加されている無線送信を依頼する情報の検知をトリガとして電子機器２Ａへの無線送信を実行するようにするものである。
【０１８４】
この第３の実施形態においても第２の実施形態と同様の効果が得られると共に、ピックアップ部１１Ｂの制御部１１６Ｂにおける処理の負荷が小さくなるという効果がある。
【０１８５】
なお、上述した第２の実施形態及び第３の実施形態では、ピックアップ部１１Ａ，１１Ｂには、電子ペン本体部１０Ａ，１０ＢのバッテリーＢＴから電源電圧を供給するようにしたが、ピックアップ部１１Ａ，１１Ｂのそれぞれがバッテリーを搭載していても勿論よい。
【０１８６】
［第２の実施形態及び第３の実施形態の変形例］
上述した第２の実施形態及び第３の実施形態では、ピックアップ部でピックアップした色の情報とペンＩＤ情報とは、対（ペア）として、ピックアップ部１１Ａの無線通信部１１８又は電子ペン本体部１０Ｂの無線通信部１０９を通じて電子機器２Ａに送信するようにした。しかし、色の情報は、ピックアップ部１１Ａの無線通信部１１８又は電子ペン本体部１０Ｂの無線通信部１０９を通じて電子機器２Ａに送信すると共に、ペンＩＤ情報は、電子ペン本体部１０Ａ，１０Ｂの芯体１０５からの信号に含めて、センサ部を通じて電子機器２Ａに送信することで、色の情報とペンＩＤ情報とを別々のルートで送信するようにしてもよい。
【０１８７】
また、第２の実施形態及び第３の実施形態では、色の情報とペンＩＤ情報とのペアの情報を、無線通信部１１８または無線通信部１０９を通じて無線送信するようにしたが、色の情報とペンＩＤ情報とのペアの情報を、電子ペン本体部１０の芯体１０５からの信号に含めて、位置検出センサ２１０を通じて電子機器２Ａに送信するようにしてもよい。その場合には、無線通信部１１８または無線通信部１０９と、無線通信部２０４とは設ける必要はない。
【０１８８】
第２の実施形態及び第３の実施形態の変形例として、認証対象が電子ペンによる筆記入力からなる文書ファイル、画像描画ファイルや、それらのフォルダである場合には、ペンＩＤ情報を用いることで、認証対象の事前登録を省略することができる。すなわち、電子ペンによる筆記入力からなる文書ファイル、画像描画ファイルには、電子ペンのペンＩＤ情報を対応付けて（付加して）記憶しておく。そして、認証参照用情報として記憶しているペンＩＤ情報と同一の文書ファイルやフォルダの場合には、それを認証対象として認定して、色の情報による認証を実行するようにすることができる。ただし、この場合には、文書ファイル、画像描画ファイルや、それらのフォルダ毎に異なる色の情報を設定することはできず、一つのペンＩＤ情報について、共通の一つの色の情報による認証となる。
【０１８９】
［第４の実施形態］
第４の実施形態は、第２の実施形態及び第３の実施形態よりも、セキュリティを、さらに厳格化することができるように考慮したもので、使用者により電子ペンが用いられて電子機器に入力されるサイン（署名）を、認証参照用情報として追加するものである。
【０１９０】
この第４の実施形態を構成する電子ペンは、上述した第２の実施形態の電子ペン１Ａまたは第３の実施形態の電子ペン１Ｂのいずれも用いることができ、どちらを用いてもよい。したがって、この第４の実施形態を構成する電子ペン１Ａ（又は電子ペン１Ｂ）における色の情報のピックアップ動作及びペンＩＤ情報をも含めた無線送出の動作も、上述した第２の実施形態の電子ペン１Ａまたは第３の実施形態の電子ペン１Ｂと同様である。そこで、ここではその説明は省略する。
【０１９１】
また、この第４の実施形態を構成する電子機器２Ｃ（図示は省略）のハードウエア構成は、上述した第２の実施形態及び第３の実施形態の電子機器２Ａのハードウエア構成と同様である。ただし、第４の実施形態の電子機器２Ｃが備える情報処理制御部２００Ｃ（図示は省略）は、制御内容が第２の実施形態及び第３の実施形態の電子機器２Ａの情報処理制御部２００Ａとは異なると共に、認証参照用情報記憶部２０５Ｃは、記憶する認証参照用情報が第２の実施形態及び第３の実施形態の電子機器２Ａの認証参照用情報記憶部２０５Ａとは異なる。
【０１９２】
以下に、この第４の実施形態の電子機器２Ｃの情報処理制御部２００Ｃの動作の例を、図２１〜図２３のフローチャートを参照して説明する。
【０１９３】
図２１において、ステップＳ１４１〜ステップＳ１４５までの処理は、第２の実施形態で図１４について説明したステップＳ７１〜ステップＳ７５までの処理と同様であるので、ここでは説明は省略する。
【０１９４】
第４の実施形態では、ステップＳ１４５で、色の情報とペンＩＤ情報とを受信したと判別したときには、情報処理制御部２００Ｃは、その受信した色の情報とペンＩＤとを一時保持する（ステップＳ１４６）。
【０１９５】
次に、情報処理制御部２００Ｃは、表示部２０３の表示画面２０３Ｄに、図２５に示すようなサインの入力欄（署名欄）２０３ＳＧを表示して、電子ペン１Ａ（又は電子ペン１Ｂ）による当該入力欄２０３ＳＧへのサイン入力を促す（図２２のステップＳ１５１）。
【０１９６】
この促しに応じて使用者は、電子ペン１Ａ（又は電子ペン１Ｂ）により、入力欄２０３ＳＧにおいて、サイン入力を行う。この場合に、上述したように、電子ペン１Ａ（又は電子ペン１Ｂ）の芯体１０５からは、位置検出用信号及び筆圧情報に加えて、ペンＩＤ情報が、例えば時分割信号として送出される。
【０１９７】
電子機器２Ｃでは、位置検出センサ２１０を通じて、この電子ペン１Ａ（又は電子ペン１Ｂ）の芯体１０５から送出される信号を、位置検出処理部２１（図５参照）で位置検出制御回路２２７が検出することで、電子ペン１Ａ（又は電子ペン１Ｂ）の芯体１０５により指示された軌跡の座標（サインの筆記跡情報）を検出すると共に、筆圧情報から筆圧値を算出し、更に、ペンＩＤ情報を検出する。そして、位置検出制御回路２２７は、検出したサインの筆記跡情報と、筆圧値の情報と、ペンＩＤ情報とを、情報処理制御部２００Ｃに供給する。
【０１９８】
情報処理制御部２００Ｃは、位置検出制御回路２２７からのサインの筆記跡情報と、筆圧値の情報と、ペンＩＤ情報とを含むサイン入力を受け付け（ステップＳ１５２）、サイン入力に含まれるペンＩＤ情報が、ステップＳ１４６で保持しているペンＩ情報とを照合して、両者が同一であるか否か判別する（ステップＳ１５３）。
【０１９９】
このステップＳ１５３で、サイン入力に含まれるペンＩＤ情報と、ステップＳ１４６で保持しているペンＩＤ情報とは同一ではないと判別したときには、情報処理制御部２００Ｃは、サイン入力の受付を拒否する（ステップＳ１５４）。そして、情報処理制御部２００Ｃは、処理を図２１のステップＳ１４１に戻して、このステップＳ１４１以降の処理を繰り返す。
【０２００】
このステップＳ１５３及びステップＳ１５４の処理は、色の情報をピックアップする操作をした電子ペンと、サイン入力をした電子ペンとが同一であるべきであるので、それを担保するためであり、セキュリティを、より強くすることができると考えられるからである。もっとも、色の情報をピックアップする操作をした電子ペンと、サイン入力をした電子ペンとが異なることは稀であると考えられるので、ステップＳ１５３及びステップＳ１５４の処理ステップは、省略するようにしてもよい。
【０２０１】
そして、ステップＳ１５３で、サイン入力に含まれるペンＩＤ情報と、ステップＳ１４６で保持しているペンＩＤ情報とは同一であると判別したときには、情報処理制御部２００Ｃは、例えば図２５の表示画面２０３Ｄの終了ボタンアイコン２０３ＥＳがクリックされたか否かを判別することにより、サイン入力が終了したか否か判別する（ステップＳ１５５）。
【０２０２】
ステップＳ１５５で、サイン入力が終了してはいないと判別したときには、情報処理制御部２００Ｃは、処理をステップＳ１５２に戻して、このステップＳ１５２以降の処理を繰り返す。また、ステップＳ１５５で、サイン入力が終了したと判別したときには、情報処理制御部２００Ｃは、ステップＳ１４６で保持していた色の情報とペンＩＤ情報と、サイン情報（筆記跡の座標情報）とを、認証対象に対応付けた認証参照用情報を、図２６に示すようなテーブル情報として、認証参照用情報記憶部２０５Ｃに記憶する（ステップＳ１５６）。
【０２０３】
このステップＳ１５６の次には、情報処理制御部２００Ｃは、処理を図２１のステップＳ１４１に戻して、このステップＳ１４１以降の処理を繰り返す。
【０２０４】
そして、図２１におけるステップＳ１４７において、ステップＳ１４１で発生が判別された処理イベントが認証を要求していると判別したときには、情報処理制御部２００Ｃは、図２３のステップＳ１６１からの処理を実行する。この図２３において、ステップＳ１６１からステップＳ１６８までの処理ステップは、図１５のステップＳ８１からステップＳ８８までの処理ステップと同様であるので、その説明は省略する。
【０２０５】
そして、図２３のステップＳ１６８で、ペンＩＤによる認証ＯＫであり、且つ、色の情報による認証ＯＫであると判別したときには、情報処理制御部２００Ｃは、表示部２０３の表示画面２０３Ｄに、図２５に示すようなサインの入力欄（署名欄）２０３ＳＧを表示して、電子ペン１Ａ（又は電子ペン１Ｂ）による当該入力欄２０３ＳＧへのサイン入力を促す（図２２のステップＳ１７１）。
【０２０６】
この促しに応じて使用者は、電子ペン１Ａ（又は電子ペン１Ｂ）により、入力欄２０３ＳＧにおいて、サイン入力を行う。この場合に、上述したように、電子ペン１Ａ（又は電子ペン１Ｂ）の芯体１０５からは、位置検出用信号及び筆圧情報に加えて、ペンＩＤ情報が、例えば時分割信号として送出される。
【０２０７】
電子機器２Ｃでは、前述したようにして、位置検出処理部２１の位置検出制御回路２２７（図５参照）で、電子ペン１Ａ（又は電子ペン１Ｂ）の芯体１０５により指示された軌跡の座標（サインの筆記跡情報）を検出すると共に、筆圧情報から筆圧値を算出し、更に、ペンＩＤ情報を検出する。そして、位置検出制御回路２２７は、検出したサインの筆記跡情報と、筆圧値の情報と、ペンＩＤ情報とを、情報処理制御部２００Ｃに供給する。
【０２０８】
情報処理制御部２００Ｃは、位置検出制御回路２２７からのサインの筆記跡情報と、筆圧値の情報と、ペンＩＤ情報とを含むサイン入力を受け付け（ステップＳ１７２）、サイン入力に含まれるペンＩＤ情報が、ステップＳ１６２で保持しているペンＩＤ情報とを照合して、両者が同一であるか否か判別する（ステップＳ１７３）。
【０２０９】
このステップＳ１７３で、ステップＳ１７２で受け付けたサイン入力に含まれるペンＩＤ情報と、ステップＳ１６２で保持しているペンＩＤ情報とは同一ではないと判別したときには、情報処理制御部２００Ｃは、処理を図２３のステップＳ１６６に移行して、認証ＮＧを通知する。その後、情報処理制御部２００Ｃは、処理を図２１のステップＳ１４１に戻して、このステップＳ１４１以降の処理を繰り返す。
【０２１０】
このステップＳ１７３及びステップＳ１７４の処理は、色の情報をピックアップする操作をした電子ペンと、サイン入力をした電子ペンとが同一であるべきであるので、それを担保するためであり、セキュリティを、より強くすることができると考えられるからである。もっとも、色の情報をピックアップする操作をした電子ペンと、サイン入力をした電子ペンとが異なることは稀であると考えられるので、ステップＳ１７３及びステップＳ１７４の処理ステップは、省略するようにしてもよい。
【０２１１】
そして、ステップＳ１７３で、サイン入力に含まれるペンＩＤ情報と、ステップＳ１６２で保持しているペンＩＤ情報とは同一であると判別したときには、情報処理制御部２００Ｃは、例えば図２５の表示画面２０３Ｄの終了ボタンアイコン２０３ＥＳがクリックされたか否かを判別することにより、サイン入力が終了したか否か判別する（ステップＳ１７４）。
【０２１２】
ステップＳ１７４で、サイン入力が終了してはいないと判別したときには、情報処理制御部２００Ｃは、サイン入力情報を保持し（ステップＳ１７５）、その保持したサイン入力情報と、認証参照用情報記憶部２０５Ｃに記憶されているサイン入力情報とを照合する（ステップＳ１７６）。
【０２１３】
そして、情報処理制御部２００Ｃは、サイン入力情報の照合の結果、サインが一致しているか否かにより、サインによる認証がＯＫであるか否か判別する（ステップＳ１７７）。サインが一致しているか否かは、例えば照合する２つの入力情報の差分が所定の閾値以下であるか否かにより判別し、閾値以下であれば認証ＯＫ、閾値より大きいときには認証ＮＧと判別する。この場合、閾値の値が小さいときには、セキュリティが厳格になり、大きいときには、セキュリティは弱くなる。
【０２１４】
ステップＳ１７７で、サインによる認証がＮＧであると判別したときには、情報処理制御部２００Ｃは、処理を図２３のステップＳ１６６に移行して、認証ＮＧを通知する。その後、情報処理制御部２００Ｃは、処理を図２１のステップＳ１４１に戻して、このステップＳ１４１以降の処理を繰り返す。
【０２１５】
また、ステップＳ１７７で、サインによる認証がＯＫであると判別したときには、情報処理制御部２００Ｃは、認証対象を許可して（ステップＳ１７８）、その後、処理を図２１のステップＳ１４１に戻して、このステップＳ１４１以降の処理を繰り返す。
【０２１６】
以上説明した第４の実施形態においては、色の情報による認証と、ペンＩＤによる認証とに加えて、サインによる認証を行うようにしているので、セキュリティを厳格化することができる。
【０２１７】
なお、上述の第４の実施形態の説明では、サインを用いる認証を、第２の実施形態または第３の実施形態の認証システムに追加するようにしたが、サインを用いる認証を、第１の実施形態の認証システムに追加するようにしてもよい。すなわち、色の情報による認証と、サインによる認証の両方の認証がＯＫであるときにのみ、認証対象についてのセキュリティ保護を解除することができるようにしてもよい。
【０２１８】
［その他の実施形態または変形例］
上述の実施形態では、電子機器は、認証対象と認証参照用情報とを対応付けて記憶するテーブル情報を生成して、当該テーブル情報に基づいて認証管理及び認証制御処理を行うようにしたが、例えばアプリケーションプログラム、ファイルやフォルダなどの認証対象のそれぞれに、セキュリティ管理されている旨の情報を付加すると共に、認証参照用情報を付加しておくようにしてもよい。その場合には、認証対象のアプリケーションプログラムの起動時や認証対象のファイルやフォルダの開封時には、上述と同様の認証処理が自動的に起動されて実行され、認証の可否が判断されるものである。
【０２１９】
また、上述の第２の実施形態〜第４の実施形態の認識システムでは、色の情報のみよりもセキュリティを強固にするために、色の情報と電子ペン１Ａ，１ＢのペンＩＤ情報とを組み合わせるようにしたが、電子ペン本体部１０Ａ，１０Ｂとは別体であるピックアップ部１１Ａ，１１Ｂに、当該ピックアップ部の識別情報（ピックアップ部のユニットＩＤ）を付与すると共に、そのピックアップ部の識別情報を記憶する記憶部を設けて、ペンＩＤ情報の代わりに、色の情報と共に、電子機器２に送信するようにしてもよい。この場合にも、電子ペン１Ａ，１Ｂから電子機器２，２Ａへの色の情報と識別情報との送信手段は、ピックアップ部１１Ａ，１１Ｂに搭載した無線通信部であってもよいし、電子ペン本体部１０Ａ，１０Ｂに搭載した無線通信部であってもよい。また、電子ペン本体部１０Ａ，１０Ｂの芯体１０５から送出する信号に含めるようにしてもよい。
【０２２０】
このように、色の情報と共に送信する識別情報としてピックアップ部のユニットＩＤを用いる場合において、ピックアップ部１１Ａ，１１Ｂに、無線通信部を設けると共に、バッテリーを搭載する場合には、色の情報と、ピックアップ部１１Ａ，１１Ｂの識別情報との送信は、電子ペン本体部１０Ａ，１０Ｂとは電気的に接続されていなくても可能となる。このため、ピックアップ部１１Ａ，１１Ｂと電子ペン本体部１０Ａ，１０Ｂとは、上述の例のようなＵＳＢ接続などの電気的な接続は、不要となり、単に結合可能に構成されていればよい。
【０２２１】
以上の実施形態では、電子ペンは、電子ペン本体部とピックアップ部とを別体として、両者を結合する構成とした。しかし、電子ペン本体部とピックアップ部とを別体とするのではなく、電子ペンの筐体内に、電子ペン本体部の機能と、ピックアップ部の機能を設けるように構成した単体の電子ペンの構成としてもよいことは言うまでもない。この場合には、電子ペンの筐体の芯体側とは反対側の後端側に、外部に露出するレンズを備えるピックアップ部の機能部が設けられることになる。
【０２２２】
なお、以上の実施形態では、認証用として色の情報をピックアップして用いるようにしたので、受光部１２２は、フォトトランジスタで構成すると共に、色検出回路を設けるようにした。しかし、この発明による認証システムにおいては、色の情報の代わりに、画像情報をピックアップするように構成することもできる。
【０２２３】
すなわち、その場合には、受光部１２２を、複数の受光セルが２次元配置されているイメージセンサで構成すると共に、色検出回路の代わりに、イメージセンサの出力から画像を検出する画像検出回路を設けることで、ピックアップ部は、後端部を押し当てた部位の画像をピックアップすることできる。この場合に、画像としては、モノクロ画像に限らず、カラー画像をピックアップすることができることは言うまでもない。
【０２２４】
また、上述の実施形態の電子ペンの電子ペン本体部は、全て、芯体から信号を送出するアクティブ静電容量方式の電子ペンの構成としたが、位置検出センサ２１０とインタラクションする電子ペンの方式は、どのようなものであってもよい。すなわち、パッシブ方式の電子ペンであってもよいし、電磁誘導方式の電子ペンであってもよい。電磁誘導方式の電子ペンは、位置検出センサ２１０からの信号を受信して帰還させるタイプのものであってもよいし、自身が信号発生回路を備えるタイプのものであってもよい。
【符号の説明】
【０２２５】
１，１Ａ，１Ｂ…電子ペン、２，２Ａ，２Ｃ…電子機器、１０，１０Ａ，１０Ｂ…電子ペン本体部、１１，１１Ａ，１１Ｂ…ピックアップ部、１１３…レンズ、１１８…無線通信部、１２１…発光素子、１２２…受光部、１２３…色検出回路、１２４…押圧検出スイッチ、２００…情報処理制御部、２０４…無線通信部、２０５…認証参照用情報記憶部、２１０…位置検出センサ
【図１】
2019130709.tif 000003
【図２】
2019130709.tif 000004
【図３】
2019130709.tif 000005
【図４】
2019130709.tif 000006
【図５】
2019130709.tif 000007
【図６】
2019130709.tif 000008
【図７】
2019130709.tif 000009
【図８】
2019130709.tif 000010
【図９】
2019130709.tif 000011
【図１０】
2019130709.tif 000012
【図１１】
2019130709.tif 000013
【図１２】
2019130709.tif 000014
【図１３】
2019130709.tif 000015
【図１４】
2019130709.tif 000016
【図１５】
2019130709.tif 000017
【図１６】
2019130709.tif 000018
【図１７】
2019130709.tif 000019
【図１８】
2019130709.tif 000020
【図１９】
2019130709.tif 000021
【図２０】
2019130709.tif 000022
【図２１】
2019130709.tif 000023
【図２２】
2019130709.tif 000024
【図２３】
2019130709.tif 000025
【図２４】
2019130709.tif 000026
【図２５】
2019130709.tif 000027
【図２６】
2019130709.tif 000028
【国際調査報告】
2019130709.tif 000029
2019130709.tif 000030
2019130709.tif 000031
2019130709.tif 000032